(57)【特許請求の範囲】
【請求項１】
入力信号を符号化する符号化方法において、
複数の入力信号に基づく信号から、複数の低域側信号と、上記複数の入力信号に対して同一の高域側信号とを生成する分割ステップと、
上記複数の低域側信号を、それぞれ符号化する低域符号化ステップと、
上記高域側信号を符号化すると共に、該符号化処理で得た符号化情報を生成する高域符号化ステップと、
上記低域及び高域符号化ステップによってそれぞれ符号化された信号と上記符号化情報とに基づいて符号列を生成する生成ステップとを具備し、
上記高域符号化ステップは、上記高域側信号を正規化処理して符号化すると共に、該符号化処理で得た正規化係数情報を含む符号化情報を生成する
ことを特徴とする符号化方法。
【請求項２】
入力信号を符号化する符号化装置において、
複数の入力信号に基づく信号から、複数の低域側信号と上記複数の入力信号に対して同一の高域側信号とを生成する分割手段と、
上記複数の低域側信号を、それぞれ符号化する低域符号化手段と、
上記高域側信号を符号化すると共に、該符号化処理で得た符号化情報を生成する高域符号化手段と、
上記低域及び高域符号化手段によってそれぞれ符号化された信号と上記符号化情報とに基づいて符号列を生成する生成手段とを具備し、
上記高域符号化手段は、上記高域側信号を正規化処理して符号化すると共に、該符号化処理で得た正規化係数情報を含む符号化情報を生成する
ことを特徴とする符号化装置。
【請求項３】
符号列を復号する復号化方法において、
複数の信号に基づいて生成された、複数の低域側信号をそれぞれ符号化した低域符号と、上記複数の入力信号に対して同一の高域側信号を正規化処理して符号化した高域符号と、高域側信号の符号化処理で得られた正規化係数情報を含む符号化情報を有する符号列を分離する分離ステップと、
上記分離された各低域符号をそれぞれ復号する低域復号ステップと、
上記分離された高域符号を上記符号化情報に基づいて復号する高域復号ステップと、
上記復号されたそれぞれの低域側信号と上記復号された同一の高域側信号とに基づいて、出力信号を生成する合成ステップと
を具備することを特徴とする復号化方法。
【請求項４】
上記高域復号ステップは、上記高域符号を、上記符号化情報に含まれる正規化係数情報に基づいて逆正規化処理して復号する
ことを特徴とする請求項３記載の復号化方法。
【請求項５】
上記合成ステップは、同一の正規化係数情報を用いて逆正規化処理して復号された高域側信号に基づいて、複数の出力信号を生成する
ことを特徴とする請求項４記載の復号化方法。
【請求項６】
上記合成ステップは、上記復号されたそれぞれの低域側信号と上記復号された高域側信号とに基づいて、音響信号の右チャネルと左チャネルの信号を生成する
ことを特徴とする請求項３記載の復号化方法。
【請求項７】
上記合成ステップは、上記復号されたそれぞれの低域側信号と上記復号された高域側信号とを合成して、音響信号の右チャネルと左チャネルの信号を生成する
ことを特徴とする請求項６記載の復号化方法。
【請求項８】
上記合成ステップは、上記復号されたそれぞれの低域側信号の和に基づいて生成された信号と、それぞれの低域側信号の差に基づいて生成された信号と、上記復号された高域側信号とから、音響信号の右チャネルと左チャネルの信号を生成する
ことを特徴とする請求項６記載の復号化方法。
【請求項９】
上記低域符号に基づいて、上記複数の信号に対応する高域側の信号のレベルを制御する重み付け情報を生成する重み付け情報生成ステップを更に具備し、
上記合成ステップは、上記復号されたそれぞれの低域側信号と、上記重み付け情報に基づいてレベルを制御した高域側信号とに基づいて、出力信号を生成する
ことを特徴とする請求項３記載の復号化方法。
【請求項１０】
上記合成ステップは、上記復号されたそれぞれの低域側信号と、上記符号化情報に含まれる重み付け情報に基づいてレベルを制御した高域側信号とに基づいて、出力信号を生成する
ことを特徴とする請求項３記載の復号化方法。
【請求項１１】
上記合成ステップは、上記復号されたそれぞれの低域側信号に基づく低域スペクトル信号成分に対して逆スペクトル変換して低域時間信号を生成し、上記復号された高域側信号に高域スペクトル信号成分に対して逆スペクトル変換して高域時間信号を生成し、上記各低域時間信号及び高域時間信号を帯域合成して出力信号を生成する
ことを特徴とする請求項３記載の復号化方法。
【請求項１２】
上記低域復号ステップは、上記複数の低域符号をそれぞれ異なる復号方式によって復号する
ことを特徴とする請求項３記載の復号化方法。
【請求項１３】
符号列を復号する復号化装置において、
複数の信号に基づいて生成された、複数の低域側信号をそれぞれ符号化した低域符号と、上記複数の入力信号に対して同一の高域側信号を正規化処理して符号化した高域符号と、高域側信号の符号化処理で得られた正規化係数情報を含む符号化情報を有する符号列を分離する分離手段と、
上記分離された各低域符号をそれぞれ復号する低域復号手段と、
上記分離された高域符号を上記符号化情報に基づいて復号する高域復号手段と、
上記復号されたそれぞれの低域側信号と上記復号された同一の高域側信号とに基づいて、出力信号を生成する合成手段と、
を具備することを特徴とする復号化装置。
【請求項１４】
複数の信号に基づいて生成された、複数の低域側信号をそれぞれ符号化した低域符号と、上記複数の入力信号に対して同一の高域側信号を正規化処理して符号化した高域符号と、高域側信号の符号化処理で得られた正規化係数情報を含む符号化情報を有する符号列を記録してなる
ことを特徴とする記録媒体。
【発明の詳細な説明】
【０００１】
【産業上の利用分野】
本発明は、多チャネルの信号を符号化する符号化方法及び装置、その符号化された情報を復号化する復号化方法及び装置、符号化された情報を記録して記録媒体に関するものである。
【０００２】
【従来の技術】
従来より、符号化された音響情報或いは音声情報の如き信号（以下、オーディオ信号と呼ぶ）を記録することが可能なものとして、例えば光磁気ディスクのような記録媒体が提案されている。上記オーディオ信号の高能率符号化の手法には種々あるが、その高能率符号化の手法としては、例えば、時間軸上のオーディオ信号を所定時間単位でブロック化し、このブロック毎の時間軸の信号を周波数軸上の信号に変換(スペクトル変換)して複数の周波数帯域に分割し、各帯域毎に符号化するブロック化周波数帯域分割方式であるいわゆる変換符号化や、時間軸上のオーディオ信号をブロック化しないで、複数の周波数帯域に分割して符号化する非ブロック化周波数帯域分割方式であるいわゆる帯域分割符号化（サブ・バンド・コーディング：ＳＢＣ）等を挙げることができる。また、上述の帯域分割符号化と変換符号化とを組み合わせた高能率符号化の手法も考えられている。この場合には、例えば、上記帯域分割符号化で帯域分割を行った後、該各帯域毎の信号を周波数軸上の信号にスペクトル変換し、このスペクトル変換された各帯域毎に符号化が施される。
【０００３】
ここで、上述した帯域分割符号化において用いられる帯域分割用フィルタとしては、例えばいわゆるＱＭＦ(Quadrature Mirror filter)などのフィルタがあり、このＱＭＦのフィルタは、文献「ディジタル・コーディング・オブ・スピーチ・イン・サブバンズ」("Digital coding of speech in subbands"  R.E.Crochiere, Bell Syst.Tech. J., Vol.55,No.8 1976) に述べられている。このＱＭＦのフィルタは、帯域を等バンド幅に２分割するものであり、当該フィルタにおいては上記分割した帯域を後に合成する際にいわゆるエリアシングが発生しないことが特徴となっている。また、文献「ポリフェイズ・クァドラチュア・フィルターズ  −新しい帯域分割符号化技術」("Polyphase Quadrature filters -A new subband coding technique", Joseph H. Rothweiler, ICASSP 83, BOSTON) には、等帯域幅のフィルタ分割手法が述べられている。このポリフェイズ・クァドラチュア・フィルタにおいては、信号を等バンド幅の複数の帯域に分割する際に一度に分割できることが特徴となっている。
【０００４】
上述したスペクトル変換としては、例えば、入力オーディオ信号を所定単位時間（フレーム）でブロック化し、当該ブロック毎に離散フーリエ変換（Discrete Fourier Transform:ＤＦＴ）、離散コサイン変換（ Discrete Cosine Transform：ＤＣＴ）、モディファイド離散コサイン変換（変形離散コサイン変換：Modified Discrete Cosine Transform：ＭＤＣＴ）等を行うことで時間軸を周波数軸に変換するようなスペクトル変換がある。なお、上記ＭＤＣＴについては、文献「時間領域エリアシング・キャンセルを基礎とするフィルタ・バンク設計を用いたサブバンド／変換符号化」("Subband/Transform Coding Using Filter Bank Designs Based on Time Domain Aliasing Cancellation," J.P.Princen A.B.Bradley, Univ. of Surrey Royal Melbourne Inst. of Tech. ICASSP 1987)に述べられている。
【０００５】
また、波形信号をスペクトル変換する方法として上述のＤＦＴやＤＣＴを使用した場合、例えばＭ個のサンプルデータからなる時間ブロックで変換（以下、このブロックを変換ブロックと呼ぶ）を行うと、Ｍ個の独立な実数データが得られる。ここで変換ブロック間の接続歪みを軽減するために、通常は、両隣の変換ブロック間でそれぞれＭ１個のサンプルデータをオーバーラップさせるので、これらＤＦＴやＤＣＴでは、平均化して（Ｍ−Ｍ１）個のサンプルデータに対してＭ個の実数データが得られるようになり、したがって、これらＭ個の実数データが、その後量子化及び符号化されることになる。
【０００６】
これに対して、スペクトル変換の方法として上述のＭＤＣＴを使用した場合には、両隣の変換ブロック間でそれぞれＭ個ずつのサンプルデータをオーバーラップさせた２Ｍ個のサンプルから、独立なＭ個の実数データが得られる。すなわち、ＭＤＣＴを使用した場合には、平均化してＭ個のサンプルデータに対してＭ個の実数データが得られ、これらＭ個の実数データが、その後量子化及び符号化されることになる。復号化装置においては、このようにしてＭＤＣＴを用いて得られた符号から、各ブロックにおいて逆変換を施して得た波形要素を互いに干渉させながら加え合わせることにより、波形信号を再構成することができる。
【０００７】
ところで、一般に、上記スペクトル変換のための変換ブロックを長くすると、周波数分解能が高まり、特定のスペクトル信号成分にエネルギが集中することが起きる。したがって、両隣の変換ブロック間でそれぞれ半分ずつサンプルデータをオーバーラップさせた長い変換ブロック長でスペクトル変換を行い、しかも得られたスペクトル信号成分の個数が、元の時間軸のサンプルデータの個数に対して増加しない上記ＭＤＣＴを使用するようにすれば、ＤＦＴやＤＣＴを使用した場合よりも効率の良い符号化を行うことが可能となる。また、隣接する変換ブロック同士で十分長いオーバーラップを持たせるようにすれば、波形信号の変換ブロック間の接続歪みを軽減することもできる。ただし、変換のための変換ブロックを長くするということは、変換のための作業領域がより多く必要になるということでもあるため、再生手段等の小型化を図る上での障害となり、特に半導体の集積度を上げることが困難な時点で長い変換ブロックを採用することはコストの増加につながるので注意が必要となる。
【０００８】
上述したように、フィルタやスペクトル変換によって帯域毎に分割された信号成分を量子化することにより、量子化雑音が発生する帯域を制御することができ、したがって、いわゆるマスキング効果などの性質を利用して聴覚的により高能率な符号化を行うことが可能となる。また、ここで量子化を行う前に、各帯域毎に、例えばその帯域における信号成分の絶対値の最大値で各サンプルデータの正規化を行うようにすれば、さらに高能率な符号化を行うことができる。
【０００９】
ここで、例えばオーディオ信号を周波数帯域分割して得た各信号成分を量子化する場合の周波数分割幅としては、例えば人間の聴覚特性を考慮した帯域幅を用いることが好ましい。すなわち、一般に高域ほど帯域幅が広くなるような臨界帯域（クリティカルバンド）と呼ばれている帯域幅で、オーディオ信号を複数（例えば２５バント）の帯域に分割することが好ましい。また、この時の各帯域毎のデータを符号化する際には、各帯域毎に所定のビット配分或いは、各帯域毎に適応的なビット割当て（ビットアロケーション）による符号化が行われる。例えば、上記ＭＤＣＴ処理されて得られた係数データを上記ビットアロケーションによって符号化する際には、上記各変換ブロック毎のＭＤＣＴ処理により得られる各帯域毎のＭＤＣＴ係数データに対して、適応的な割当てビット数で符号化が行われることになる。ビット割当手法としては、次の２手法が知られている。
【００１０】
例えば、文献「音声信号の適応変換符号化」（"Adaptive Transform Coding of Speech Signals", R.Zelinski and P.Noll, IEEE Transactions of Accoustics, Speech, and Signal Processing, vol.ASSP-25, No.4, August 1977）では、各帯域毎の信号の大きさをもとに、ビット割当を行っている。この方式では、量子化雑音スペクトルが平坦となり、雑音エネルギ最小となるが、聴感覚的にはマスキング効果が利用されていないために実際の雑音感は最適ではない。
【００１１】
また、例えば文献「臨界帯域符号化器  −聴覚システムの知覚の要求に関するディジタル符号化」（"The critical band coder --digital encoding of  the perceptual requirements of the auditory system", M.A.Kransner MIT, ICASSP 1980）では、聴覚マスキングを利用することで、各帯域毎に必要な信号対雑音比を得て固定的なビット割当を行う手法が述べられている。しかしこの手法では、サイン波入力で特性を測定する場合でも、ビット割当が固定的であるために特性値がそれほど良い値とならない。
【００１２】
これらの問題を解決するために、ビット割当に使用できる全ビットを、各小ブロック毎にあらかじめ定められた固定ビット割当パターン分と、各ブロックの信号の大きさに依存したビット配分を行う分とに分割使用するようにし、そのときの分割比を入力信号に関係する信号に依存させ、前記信号のスペクトルのパターンが滑らかなほど前記固定ビット割当パターン分への分割比率を大きくするような高能率符号化方法が提案されている。
【００１３】
この方法によれば、サイン波入力のように、特定のスペクトル信号成分にエネルギが集中する場合にはそのスペクトル信号成分を含むブロックに多くのビットを割り当てる事により、全体の信号対雑音特性を著しく改善することができる。一般に、急峻なスペクトル信号成分をもつ信号に対して人間の聴覚は極めて敏感であるため、このような方法を用いる事により、信号対雑音特性を改善することは、単に測定上の数値を向上させるばかりでなく、聴感上、音質を改善するのに有効である。
【００１４】
ビット割り当ての方法にはこの他にも数多くの方法が提案されており、さらに聴覚に関するモデルが精緻化され、符号化装置の能力があがれば聴覚的にみてより高能率な符号化が可能になる。
【００１５】
これらの方法においては、計算によって求められた信号対雑音特性をなるべく忠実に実現するような実数のビット割り当て基準値を求め、それを近似する整数値を割り当てビット数とすることが一般的である。
【００１６】
実際の符号列を構成するにあたっては、先ず、正規化及び量子化が行われる帯域毎に、量子化精度情報と正規化係数情報を所定のビット数で符号化し、次に、正規化及び量子化されたスペクトル信号成分を符号化すれば良い。また、ＩＳＯ標準（ＩＳＯ／ＩＥＣ １１１７２−３：１９９３（Ｅ）,１９９３）では、帯域によって量子化精度情報を表すビット数が異なるように設定された高能率符号化方式が記述されており、ここでは高域になるにしたがって、量子化精度情報を表すビット数が小さくなるように規格化されている。
【００１７】
量子化精度情報を直接符号化する代わりに、復号化装置において例えば正規化係数情報から量子化精度情報を決定する方法も知られているが、この方法では、規格を設定した時点で正規化係数情報と量子化精度情報の関係が決まってしまうので、将来的にさらに高度な聴覚モデルに基づいた量子化精度の制御を導入することができなくなる。また、実現する圧縮率に幅がある場合には圧縮率毎に正規化係数情報と量子化精度情報との関係を定める必要が出てくる。
【００１８】
また、例えば、文献「最小冗長コードの構成のための方法」（"A Method for Construction of Minimum Redundancy Codes" D.A.Huffman:,Proc.I.R.E., 40, p.1098 (1952)）のように、可変長符号を用いて符号化することによって、量子化されたスペクトル信号成分をより効率的に符号化する方法も知られている。
【００１９】
さらに、本件出願人による国際公開番号WO94/28633の国際出願の明細書及び図面には、スペクトル信号成分から聴感上特に重要なトーン性の成分を分離して、他のスペクトル信号成分とは別に符号化する方法が提案されており、これにより、オーディオ信号等を聴感上の劣化を殆ど生じさせずに高い圧縮率で効率的に符号化することが可能になっている。
【００２０】
なお、上述した各符号化手法は、複数のチャネルから構成される音響信号の各チャネルに対しても適用することが可能である。例えば、左側のスピーカに対応するＬチャネル、右側のスピーカに対応するＲチャネルのそれぞれに適用することによってステレオのオーディオ信号に対する効率の良い符号化が可能となる。また、このオーディオ信号のＬチャネル、Ｒチャネル間には相関があることが知られており、これらチャネル間の相関を用いてさらに効率の良い符号化を行うことができる。例えば、文献「広帯域ステレオ信号の知覚変換符号化」（”Perceptual Transform Coding of Wideband Stereo Signals”,James D. Johnston，ICASSP89, pp.1993-1995）には、入力されたＬチャネル、Ｒチャネルの信号の和と差をとり、それぞれをスペクトル信号に変換して、和のスペクトルからマスキングカーブを求め、このマスキングカーブを用いて、和と差の両方のスペクトルを量子化して符号化する方法が述べられている。一般にＬチャネルの信号とＲチャネルの信号は似通っている場合が多いので、（Ｌ−Ｒ）に相当するチャネルのレベルはかなり小さくなり、比較的少ないビット数で効率的に符号化することが可能である。この方法の付随的なメリットは、（Ｌ＋Ｒ）に相当するチャネルの信号のみを再生することによって、モノラル信号を再生できることである。
【００２１】
また、ＩＳＯ標準（ＩＳＯ／ＩＥＣ  １１１７２−３：１９９３（Ｅ），１９９３）には、フィルタによってＬ，Ｒの各チャネルの信号を分割し、周波数の低い方のバンドでは、Ｌ，Ｒ各チャネルの信号、または（Ｌ＋Ｒ），（Ｌ−Ｒ）に相当する各チャネルの信号を符号化し、周波数の高い方のバンドに対しては波形信号は両チャネル共通として、各バンドの正規化係数のみを別々に符号化する方式が記載されている。
【００２２】
【発明が解決しようとする課題】
しかしながら、全帯域で（Ｌ＋Ｒ）に相当するチャネルと（Ｌ−Ｒ）に相当するチャネルを符号化する方法では、例え一方のチャネルの信号のレベルが小さかったとしても、これら２チャネルの信号を符号化しなければならないため、符号化による圧縮の効率を上げるには限界がある。また、高域側において例えば正規化係数のみを符号化する方法をとったとしても、やはり全帯域の正規化係数を符号化するためにはそれ相応のビット数が必要になってしまう。
【００２３】
さらに上述の方法では、２つのチャネルの全帯域の信号に対して符号化および復号化のための変換処理と逆変換処理を行なう必要があり、演算処理量や一時的にデータを蓄積しておくためのバッファメモリ量が多く必要になってしまう。
【００２４】
そこで、本発明はこのような問題点を解決するためになされたものであり、符号化情報量を低減すると共に、より少ない演算処理量及びより少ないバッファメモリ量で符号化及び復号化の処理が可能な符号化方法及び装置、復号化方法及び装置、並びに記録媒体を提供することを目的とするものである。
【００２５】
【課題を解決するための手段】
本発明の符号化方法及び装置は、入力信号を符号化する符号化方法及び装置であり、複数の入力信号に基づく信号から、複数の低域側信号と、複数の入力信号に対して同一の高域側信号とを生成し、複数の低域側信号をそれぞれ符号化し、また、高域側信号を符号化すると共に該符号化処理で得た符号化情報を生成し、それら低域及び高域のそれぞれ符号化された信号と符号化情報とに基づいて符号列を生成し、高域側信号の符号化の際には、高域側信号を正規化処理して符号化すると共に、該符号化処理で得た正規化係数情報を含む符号化情報を生成することにより、上述した課題を解決する。
【００２６】
また、本発明の復号化方法及び装置は、符号列を復号する復号化方法及び装置であり、複数の信号に基づいて生成された、複数の低域側信号をそれぞれ符号化した低域符号と、複数の入力信号に対して同一の高域側信号を正規化処理して符号化した高域符号と、高域側信号の符号化処理で得られた正規化係数情報を含む符号化情報を有する符号列を分離し、その分離された各低域符号をそれぞれ復号し、また、分離された高域符号を符号化情報に基づいて復号し、それら復号されたそれぞれの低域側信号と上記復号された同一の高域側信号とに基づいて出力信号を生成することにより、上述した課題を解決する。
【００２７】
本発明の記録媒体は、複数の信号に基づいて生成された、複数の低域側信号をそれぞれ符号化した低域符号と、複数の入力信号に対して同一の高域側信号を正規化処理して符号化した高域符号と、高域側信号の符号化処理で得られた正規化係数情報を含む符号化情報を有する符号列を記録してなることにより、上述した課題を解決する。
【００２８】
【発明の実施の形態】
以下、本発明の具体的な実施の形態について、図面を参照しながら説明する。
【００２９】
先ず、図１には本発明の符号化方法及び装置、復号化方法及び装置が適用される一実施の形態の圧縮データ記録及び／又は再生装置の概略構成を示す。
【００３０】
図１に示す圧縮データ記録及び／又は再生装置において、先ず記録媒体としては、スピンドルモータ（Ｍ）５１により回転駆動される光磁気ディスク１が用いられる。光磁気ディスク１に対するデータの記録時には、例えば光学ヘッド（Ｈ）５３によりレーザ光を照射した状態で記録データに応じた変調磁界を磁気ヘッド５４により印加することによって、いわゆる磁界変調記録を行い、光磁気ディスク１の記録トラックに沿ってデータを記録する。また再生時には、光磁気ディスク１の記録トラックを光学ヘッド５３によりレーザ光でトレースして磁気光学的に再生を行う。
【００３１】
光学ヘッド（Ｈ）５３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド５３は、光磁気ディスク１を介して上記磁気ヘッド５４と対向する位置に設けられている。光磁気デイスク１にデータを記録するときには、後述する記録系の磁気ヘッド駆動回路６６により磁気ヘッド５４を駆動して記録データに応じた変調磁界を印加すると共に、光学ヘッド５３により光磁気ディスク１の目的トラックにレーザ光を照射することによって、磁界変調方式により熱磁気記録を行う。またこの光学ヘッド５３は、目的トラックに照射したレーザ光の反射光を検出し、例えばいわゆる非点収差法によりフォーカスエラーを検出し、例えばいわゆるプツシユプル法によりトラッキングエラーを検出する。光磁気ディスク１からデータを再生するとき、光学ヘツド５３は上記フォーカスエラーやトラッキングエラーを検出すると同時に、レーザ光の目的トラックからの反射光の偏光角（カー回転角）の違いを検出して再生信号を生成する。
【００３２】
光学ヘッド５３の出力は、ＲＦ回路５５に供給される。このＲＦ回路５５は、光学ヘッド５３の出力から上記フォーカスエラー信号やトラッキングエラー信号を抽出してサーボ制御回路５６に供給するとともに、再生信号を２値化して後述する再生系のデコーダ７１に供給する。
【００３３】
サーボ制御回路５６は、例えばフォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド５３の光学系のフォーカス制御を行う。また上記トラッキングサーボ制御回路は、上記トラッキングエラー信号がゼロになるように光学ヘッド５３の光学系のトラッキング制御を行う。さらに上記スピンドルモータサーボ制御回路は、光磁気ディスク１を所定の回転速度（例えば一定線速度）で回転駆動するようにスピンドルモータ５１を制御する。また、上記スレッドサーボ制御回路は、システムコントローラ５７により指定される光磁気ディスク１の目的トラック位置に光学ヘッド５３及び磁気ヘッド５４を移動させる。このような各種制御動作を行うサーボ制御回路５６は、該サーボ制御回路５６により制御される各部の動作状態を示す情報をシステムコントローラ５７に送る。
【００３４】
システムコントローラ５７にはキー入力操作部５８や表示部(ディスプレイ)５９が接続されている。このシステムコントローラ５７は、キー入力操作部５８による操作入力情報により操作入力情報により記録系及び再生系の制御を行う。またシステムコントローラ５７は、光磁気ディスク１の記録トラックからヘツダータイムやサブコードのＱデータ等により再生されるセクタ単位のアドレス情報に基づいて、光学ヘッド５３及び磁気ヘッド５４がトレースしている上記記録トラック上の記録位置や再生位置を管理する。さらにシステムコントローラ５７は、本圧縮データ記録再生装置のデータ圧縮率と上記記録トラック上の再生位置情報とに基づいて表示部（ディスプレイ）５９に再生時間を表示させる制御を行う。
【００３５】
この再生時間表示は、光磁気ディスク１の記録トラックからいわゆるヘッダータイムやいわゆるサブコードＱデータ等により再生されるセクタ単位のアドレス情報（絶対時間情報）に対し、データ圧縮率の逆数（例えば１／４圧縮のときには４）を乗算することにより、実際の時間情報を求め、これを表示部（ディスプレイ）５９に表示させるものである。なお、記録時においても、例えば光磁気ディスク等の記録トラックに予め絶対時間情報が記録されている（プリフォーマットされている）場合に、このプリフォーマットされた絶対時間情報を読み取ってデータ圧縮率の逆数を乗算することにより、現在位置を実際の記録時間で表示させることも可能である。
【００３６】
次にこのディスク記録再生装置の記録系において、入力端子６０からのアナログオーディオ入力信号Ａinがローパスフイルタ（ＬＰＦ）６１を介してＡ／Ｄ変換器６２に供給され、このＡ／Ｄ変換器６２は上記アナログオーディオ入力信号Ａinを量子化する。Ａ／Ｄ変換器６２から得られたディジタルオーディオ信号は、ＡＴＣ（Adaptive Transform Coding）エンコーダ６３に供給される。また、入力端子６７からのディジタルオーディオ入力信号Ｄinがディジタル入力インターフェース回路（ディジタル入力）６８を介してＡＴＣエンコーダ６３に供給される。ＡＴＣエンコーダ６３は、上記入力信号Ａinを上記Ａ／Ｄ変換器６２により量子化した所定転送速度のディジタルオーディオＰＣＭデータについて、所定のデータ圧縮率に応じたビット圧縮（データ圧縮）処理を行うものであり、ＡＴＣエンコーダ６３から出力される圧縮データ（ＡＴＣデータ）は、メモリ６４に供給される。例えばデータ圧縮率が１／８の場合について説明すると、ここでのデータ転送速度は、上記標準のＣＤ−ＤＡのフオーマットのデータ転送速度（７５セクタ／秒）の１／８（9.375セクタ／秒）に低減されている。
【００３７】
次に、メモリ６４は、データの書き込み及び読み出しがシステムコントローラ５７により制御され、ＡＴＣエンコーダ６３から供給されるＡＴＣデータを一時的に記憶しておき、必要に応じてディスク上に記録するためのバッファメモリとして用いられている。すなわち、例えばデータ圧縮率が１／８の場合において、ＡＴＣエンコーダ６３から供給される圧縮オーディオデータは、そのデータ転送速度が、標準的なＣＤ−ＤＡフォーマットのデータ転送速度（７５セクタ／秒）の１／８、すなわち９.３７５セクタ／秒に低減されており、この圧縮データがメモリ６４に連続的に書き込まれる。この圧縮データ（ＡＴＣデータ）は、前述したように８セクタにつき１セクタの記録を行えば足りるが、このような８セクタおきの記録は事実上不可能に近いため、後述するようなセクタ連続の記録を行うようにしている。この記録は、休止期間を介して、所定の複数セクタ（例えば３２セクタ＋数セクタ）から成るクラスタを記録単位として、標準的なＣＤ−ＤＡフォーマットと同じデータ転送速度（７５セクタ／秒）でバースト的に行われる。
【００３８】
すなわちメモリ６４においては、上記ビット圧縮レートに応じた９．３７５（＝７５／８）セクタ／秒の低い転送速度で連続的に書き込まれたデータ圧縮率１／８のＡＴＣオーディオデータが、記録データとして上記７５セクタ／秒の転送速度でバースト的に読み出される。この読み出されて記録されるデータについて、記録休止期間を含む全体的なデータ転送速度は、上記９．３７５セクタ／秒の低い速度となっているが、バースト的に行われる記録動作の時間内での瞬時的なデータ転送速度は上記標準的な７５セクタ／秒となっている。従って、ディスク回転速度が標準的なＣＤ−ＤＡフォーマットと同じ速度（一定線速度）のとき、該ＣＤ−ＤＡフォーマットと同じ記録密度、記憶パターンの記録が行われることになる。
【００３９】
メモリ６４から上記７５セクタ／秒の（瞬時的な）転送速度でバースト的に読み出されたＡＴＣオーディオデータすなわち記録データは、エンコーダ６５に供給される。ここで、メモリ６４からエンコーダ６５に供給されるデータ列において、１回の記録で連続記録される単位は、複数セクタ（例えば３２セクタ）から成るクラスタ及び該クラスタの前後位置に配されたクラスタ接続用の数セクタとしている。このクラスタ接続用セクタは、エンコーダ６５でのインターリーブ長より長く設定しており、インターリーブされても他のクラスタのデータに影響を与えないようにしている。
【００４０】
エンコーダ６５は、メモリ６４から上述したようにバースト的に供給される記録データについて、エラー訂正のための符号化処理（パリテイ付加及びインターリーブ処理）やＥＦＭ符号化処理などを施す。このエンコーダ６５による符号化処理の施された記録データが磁気ヘッド駆動回路６６に供給される。この磁気ヘッド駆動回路６６は、磁気ヘッド５４が接続されており、上記記録データに応じた変調磁界を光磁気ディスク１に印加するように磁気ヘッド５４を駆動する。
【００４１】
また、システムコントローラ５７は、メモリ６４に対する上述の如きメモリ制御を行うとともに、このメモリ制御によりメモリ６４からバースト的に読み出される上記記録データを光磁気ディスク１の記録トラックに連続的に記録するように記録位置の制御を行う。この記録位置の制御は、システムコントローラ５７によりメモリ６４からバースト的に読み出される上記記録データの記録位置を管理して、光磁気ディスク１の記録トラック上の記録位置を指定する制御信号をサーボ制御回路５６に供給することによって行われる。
【００４２】
次に再生系について説明する。この再生系は、上述の記録系により光磁気ディスク１の記録トラック上に連続的に記録された記録データを再生するためのものであり、光学ヘッド５３によって光磁気ディスク１の記録トラックをレーザ光でトレースすることにより得られる再生出力がＲＦ回路５５により２値化されて供給されるデコーダ７１を備えている。この時光磁気ディスクのみではなく、いわゆるコンパクトディスク（ＣＤ：Compact Disc、商標）と同じ再生専用光ディスクの読み出しも行なうことができる。
【００４３】
デコーダ７１は、上述の記録系におけるエンコーダ６５に対応するものであって、ＲＦ回路５５により２値化された再生出力について、エラー訂正のための上述の如き復号化処理やＥＦＭ復号化処理などの処理を行い、上述のデータ圧縮率１／８のＡＴＣオーディオデータを、正規の転送速度よりも早い７５セクタ／秒の転送速度で再生する。このデコーダ７１により得られる再生データは、メモリ７２に供給される。
【００４４】
メモリ７２は、データの書き込み及び読み出しがシステムコントローラ５７により制御され、デコーダ７１から７５セクタ／秒の転送速度で供給される再生データがその７５セクタ／秒の転送速度でバースト的に書き込まれる。また、このメモリ７２は、上記７５セクタ／秒の転送速度でバースト的に書き込まれた上記再生データがデータ圧縮率１／８に対応する９．３７５セクタ／秒の転送速度で連続的に読み出される。
【００４５】
システムコントローラ５７は、再生データをメモリ７２に７５セクタ／秒の転送速度で書き込むとともに、メモリ７２から上記再生データを上記９．３７５セクタ／秒の転送速度で連続的に読み出すようなメモリ制御を行う。また、システムコントローラ５７は、メモリ７２に対する上述の如きメモリ制御を行うとともに、このメモリ制御によりメモリ７２からバースト的に書き込まれる上記再生データを光磁気ディスク１の記録トラックから連続的に再生するように再生位置の制御を行う。この再生位置の制御は、システムコントローラ５７によりメモリ７２からバースト的に読み出される上記再生データの再生位置を管理して、光磁気ディスク１もしくは光ディスク１の記録トラック上の再生位置を指定する制御信号をサーボ制御回路５６に供給することによって行われる。
【００４６】
メモリ７２から９．３７５セクタ／秒の転送速度で連続的に読み出された再生データとして得られるＡＴＣオーディオデータは、ＡＴＣデコーダ７３に供給される。このＡＴＣデコーダ７３は、上記記録系のＡＴＣエンコーダ６３に対応するもので、例えばＡＴＣデータを８倍にデータ伸張（ビット伸張）することで１６ビットのディジタルオーディオデータを再生する。このＡＴＣデコーダ７３からのディジタルオーディオデータは、Ｄ／Ａ変換器７４に供給される。
【００４７】
Ｄ／Ａ変換器７４は、ＡＴＣデコーダ７３から供給されるディジタルオーディオデータをアナログ信号に変換して、アナログオーディオ出力信号Ａoutを形成する。このＤ／Ａ変換器７４により得られるアナログオーディオ信号Ａoutは、ローパスフイルタ７５を介して出力端子７６から出力される。
【００４８】
次に、高能率圧縮符号化について詳述する。すなわち、オーディオＰＣＭ信号等の入力ディジタル信号を、帯域分割符号化（ＳＢＣ）、適応変換符号化（ＡＴＣ）及び適応ビット割当ての各技術を用いて高能率符号化する技術について、図２以降を参照しながら説明する。
【００４９】
本発明に係る情報（音響波形信号）符号化方法を実行する符号化装置（図１のエンコーダ６３）では、図２に示すように、入力された信号波形１１０ａを変換回路１１１ａによって信号周波数成分１１０ｂに変換し、得られた各周波数成分１１０ｂを信号成分符号化回路１１１ｂによって符号化し、その後、符号列生成回路１１１ｃにおいて、上記信号成分符号化回路１１１ｂにて生成された符号化信号１１０ｃから符号列１１０ｄを生成する。
【００５０】
また、上記変換回路１１１ａにおいては、図３に示すように、入力信号１２０ａを帯域分割フィルタ１１２ａによって二つの帯域に分割し、得られた二つの帯域の信号１２０ｂ，１２０ｃをＭＤＣＴ等を用いた順スペクトル変換回路１１２ｂ，１１２ｃによりスペクトル信号成分１２０ｄ，１２０ｅに変換する。なお、上記入力信号１２０ａは、上記図２の信号波形１１０ａに対応し、また、上記スペクトル信号成分１２０ｄ、１２０ｅは上記図２の信号周波数成分１１０ｂに対応している。この図３に示す構成を有する変換回路１１１ａでは、上記二つの帯域に分割された信号１２０ｂ、１２０ｃの帯域幅が入力信号１２０ａの帯域幅の１／２となっており、該入力信号１２０ａが１／２に間引かれている。もちろん、当該変換回路１１１ａとしては、この具体例以外にも多数考えられ、例えば、入力信号を直接、ＭＤＣＴによってスペクトル信号に変換するものでも良いし、ＭＤＣＴではなく、ＤＦＴやＤＣＴによって変換するものであっても良い。また、いわゆる帯域分割フィルタによって信号を帯域成分に分割することも可能であるが、本発明に係る符号化方法においては、多数の周波数成分が比較的少ない演算量で得られる、上述のスペクトル変換によって周波数成分に変換する方法を採ると都合が良い。
【００５１】
また、上記信号成分符号化回路１１１ｂでは、図４に示すように、各信号成分１３０ａを正規化回路１１３ａによって所定の帯域毎に正規化すると共に、量子化精度決定回路１１３ｂにて上記信号成分１３０ａから量子化精度情報１３０ｃを計算し、当該量子化精度情報１３０ｃに基づいて、上記正規化回路１１３ａからの正規化されたスペクトル係数データ１３０ｂを量子化回路１１３ｃが量子化する。なお、上記信号成分１３０ａは上記図２の信号周波数成分１１０ｂに対応し、また前記図２の符号化信号１１０ｃには、図４の量子化回路１１３ｃからの量子化された信号成分１３０ｄに加えて上記正規化の際の正規化係数情報１３０ｅと上記量子化精度情報１３０ｃも含まれている。
【００５２】
一方、上述したような符号化装置によって生成された符号列からオーディオ信号を再現する復号化装置（図１の例ではデコーダ７３）においては、図５に示すように、符号列分解回路１１４ａによって符号列１４０ａから各信号成分の符号と正規化係数情報と量子化精度情報とが抽出され、それらの信号１４０ｂから信号成分復号化回路１１４ｂによって各信号成分１４０ｃが復元され、この復元された信号成分１４０ｃから、逆変換回路１１４ｃによって音響波形信号１４０ｄが再現される。
【００５３】
この復号化装置の逆変換回路１１４ｃは、図６に示すように構成されるものであって、上記図３に示した変換回路に対応したものである。この図６に示す逆変換回路１１４ｃにおいて、逆スペクトル変換回路１１５ａ，１１５ｂでは、それぞれ供給された入力信号１５０ａ，１５０ｂに逆スペクトル変換を施して各帯域の信号を復元し、帯域合成フィルタ１１５ｃではこれら各帯域信号を合成する。上記入力信号１５０ａ，１５０ｂは、上記図５の信号成分復号化回路１１４ｂによって各信号成分が復元された信号１４０ｃに対応している。また、上記帯域合成フィルタ１１５ｃの出力信号１５０ｅは、上記図５の音響波形信号１４０ｄに対応している。
【００５４】
また、図５の信号成分復号化回路１１４ｂは、図７に示すように構成されるものであり、図５の符号列分解回路１１４ａからの信号１４０ｂの内、復号化された符号１６０ａすなわちスペクトル信号に対して、量子化精度情報１６０ｄと正規化係数情報１６０ｅを用いて逆量子化と逆正規化処理とを施すものである。この図７に示す信号成分復号化回路１１４ｂにおいて、逆量子化回路１１６ａでは入力された符号１６０ａを上記量子化精度情報１６０ｄに基づいて逆量子化し、逆正規化回路１１６ｂでは上記逆量子化により得られた信号１６０ｂを上記正規化係数情報１６０ｅの基づいて逆正規化して信号成分１６０ｃを出力する。上記符号１６０ａと量子化精度情報１６０ｄと正規化係数情報１６０ｅは、図５の符号列分解回路１１４ａからの信号１４０ｂに対応し、上記出力信号成分１６０ｃは図５の信号成分１４０ｃに対応している。
【００５５】
なお、上述のような符号化装置の図３に示した変換回路によって得られるスペクトル信号は、例えば図８に示すようなものとなる。この図８に示す各スペクトル成分は、ＭＤＣＴによるスペクトル成分の絶対値を、レベルを〔ｄＢ〕に変換して示したものである。すなわちこの符号化装置においては、入力信号を所定の変換ブロック毎に６４個のスペクトル信号に変換しており、それを図中〔１〕から〔８〕にて示す８つの帯域（以下、これを符号化ユニットと呼ぶ）にまとめて正規化及び量子化している。ここで、これらのスペクトル信号は、前述したように、一旦、帯域分割フィルタによって２分割されてから順スペクトル変換によって得られたものであるが、この符号化ユニットの帯域幅は、上記帯域分割フィルタの帯域幅とは独立に設定することができる。また、帯域分割フィルタを通さずに、直接、順スペクトル変換によってスペクトル信号に変換しても良い。さらに、量子化精度を周波数成分の分布の仕方によって符号化ユニット毎に変化させるようにすれば、音質の劣化を最小限に抑えた聴覚的に効率の良い符号化が可能となる。
【００５６】
図９には、上述の方法で符号化した場合の符号列の構成例を示す。
【００５７】
この構成例では、Ｌ（左）チャネルを第１チャネル、Ｒ（右）チャネルを第２チャネルとして、各変換ブロック（時間ブロック）のスペクトル信号を復元するためのデータがそれぞれ、所定のビット数で構成されるフレームに対応して符号化され、それらのフレームがＬチャネル、Ｒチャネルで交互に並べられている。各フレームの先頭（ヘッダ部）には、先ず同期信号および符号化されている符号化ユニット数等の制御データが一定のビット数で符号化された情報が配置され、次に各符号化ユニットの量子化精度情報と正規化係数情報がそれぞれ低域側の符号化ユニットから符号化された情報が、最後に各符号化ユニット毎に上述の正規化係数情報および量子化精度情報に基づいて正規化および量子化されたスペクトル係数データが低域側から符号化された情報が配置されている。
【００５８】
この変換ブロックのスペクトル信号を復元するために実際に必要なビット数は上記符号化されている符号化ユニットの数、および各符号化ユニットの量子化精度情報が示す量子化ビット数によって決まり、その量は各フレーム毎に異なっていても良い。各フレームの先頭から上記必要なビット数のみが再生時に意味を持ち、各フレームの残りの領域は空き領域となり、再生信号には影響を与えない。
【００５９】
この例のように各時間ブロックを一定のビット数のフレームに対応させて符号化しておくことにより、例えば、この符号列を光ディスク等の記録媒体に記録した場合に、任意の変換ブロックの記録位置を容易に算出できることになるので、任意の箇所から再生を行う、いわゆるランダム・アクセスを容易に実現することが可能である。通常は、音質向上のために、より多くのビットを有効に使用して、各フレームの空き領域がなるべく小さくなるようにする。
【００６０】
次に、図１０と図１１には、上記図９に示したフレームのデータを記録媒体等に例えば時系列的に配置して記録する場合の記録フォーマットの一例を示す。図１０には、例えばＬ（左），Ｒ（右）の２チャネルの信号をフレーム毎に交互に配置した例を示し、図１１には、Ｌ，Ｒの２チャネルの信号を（Ｌ＋Ｒ）／２して生成した各サンプル値を持つ信号（これを以後、（Ｌ＋Ｒ）チャネルと呼ぶことにする。同様に（Ｌ−Ｒ）／２の各サンプル値を持つ信号を（Ｌ−Ｒ）チャネルと呼ぶことにする。）をフレーム毎に配置した例を示している。
【００６１】
上記図１０のような記録フォーマットを採用することで、同一の記録媒体に対してＬ，Ｒの２チャネルの信号を記録することができ、また、図１１のように、フレーム毎に上記（Ｌ＋Ｒ）／２の１チャネル分のみを配置する記録フォーマットを採用する場合には、図１０のようにＬ，Ｒの２チャネルをフレーム毎に交互に配置する記録フォーマットに比べて、倍の時間の信号の記録再生が可能になると共に、再生回路を複雑にすることなく容易に再生することも可能になる。
【００６２】
上述の説明では、符号化方法として図９にて説明した手法のみを述べてきたが、この図９で説明した符号化方法に対して、さらに符号化効率を高めることも可能である。
【００６３】
例えば、量子化されたスペクトル信号のうち、出現頻度の高いものに対しては比較的短い符号長を割り当て、出現頻度の低いものに対しては比較的長い符号長を割り当てる、いわゆる可変長符号化技術を用いることによって、符号化効率を高めることができる。
【００６４】
また例えば、入力信号を符号化する際の上記所定の変換ブロック、すなわちスペクトル変換のための時間ブロック長を長くとるようにすれば、量子化精度情報や正規化係数情報といったサブ情報の量を１ブロック当たりで相対的に削減でき、また、周波数分解能も上がるので、周波数軸上での量子化精度をより細やかに制御できるようになり、符号化効率を高めることが可能となる。
【００６５】
さらにまた、例えば本件出願人による国際公開番号WO94/28633の国際特許出願の明細書及び図面にて提案しているように、スペクトル信号成分から聴感上特に重要なトーン性の成分、すなわち特定の周波数周辺にエネルギーが集中している信号成分を分離して、他のスペクトル信号成分とは別に符号化する方法を適用すれば、オーディオ信号等を聴感上の劣化を殆ど生じさせずに高い圧縮率で効率的に符号化することが可能になる。
【００６６】
ここで、図１２を用いて、上記トーン性の信号成分を分離して符号化する方法を説明する。この図１２の例では、スペクトル信号成分からそれぞれトーン性の信号成分としてまとまった３個のトーン成分を分離した様子を示しており、これらの各トーン成分を構成する各信号成分は、各トーン成分の周波数軸上のそれぞれの位置データと共に符号化される。
【００６７】
一般に、音質を劣化させないためには少数のスペクトルにエネルギーが集中する上記トーン成分の各信号成分を非常に高い精度で量子化する必要があるが、トーン成分を分離した後の各符号化ユニット内のスペクトル係数（非トーン性のスペクトル信号成分）は聴感上の音質を劣化させることなく、比較的少ないステップ数で量子化することができる。
【００６８】
図１２では、図を簡略にするために、比較的少数のスペクトル信号成分しか図示していないが、実際のトーン成分では、数十のスペクトル信号成分から構成される符号化ユニット内の数個の信号成分にエネルギーが集中するので、そのようなトーン成分を分離したことによるデータ量の増加は比較的少なく、これらトーン成分を分離することによって、全体として、符号化効率を向上させることができる。
【００６９】
次に、図１３には、図１２を用いて説明した方法で符号化した場合の符号列の構成例を示す。この構成例では、各フレームの先頭にはヘッダ部として、同期信号および符号化されている符号化ユニット数等の制御データを所定のビット数で符号化した情報が配置され、次にトーン成分についてのデータであるトーン成分データを符号化した情報が配置されている。
【００７０】
トーン成分データとしては、最初にトーン成分内の各信号成分の個数を符号化した情報が、次に各トーン成分の周波数軸上の位置情報を、その後はトーン成分内での量子化精度情報、正規化係数情報、正規化および量子化されたトーン性の信号成分（スペクトル係数データ）をそれぞれ符号化した情報が配置されている。
【００７１】
上記トーン成分データの次には、元のスペクトル信号成分から上記トーン性の信号成分を差し引いた残りの信号（ノイズ性の信号成分と言うこともできる）のデータが符号化された情報を配置している。これには、各符号化ユニットの量子化精度情報と正規化係数情報および各符号化ユニット毎に上述の正規化係数情報および量子化精度情報に基づいて正規化および量子化されたスペクトル係数データ（トーン成分以外の信号成分）を、それぞれ低域側の符号化ユニットから、符号化した情報が配置されている。ただし、ここでトーン性およびそれ以外の信号成分のスペクトル信号成分（係数データ）は可変長の符号化がなされているものとする。
【００７２】
図１４には、上記各信号成分からトーン性の信号成分を分離する場合の、前記図２の信号成分符号化回路１１１ｂの具体例を示す。
【００７３】
この図１４に示す信号成分符号化回路１１１ｂにおいて、図２の変換回路１１１ａから供給された信号成分１７０ａ（１１０ｂ）は、トーン成分分離回路１１７ａに送られる。上記信号成分１７０ａは、トーン性の信号成分とそれ以外の信号成分（非トーン性の信号成分）とに分けられ、トーン性の信号成分１７０ｂはトーン成分符号化回路１１７ｂに、非トーン性の信号成分１７０ｃは非トーン成分符号化回路１１７ｃに送られる。これらトーン成分符号化回路１１７ｂと非トーン成分符号化回路１１７ｃでは、それぞれ供給された信号成分を符号化し、それぞれ得られた出力信号１７０ｄと１７０ｅを出力する。なお、トーン成分符号化回路１１７ｂでは、上記トーン性の信号成分の符号化と同時に、前記図１３のトーン成分データを構成する各情報の生成をも行う。トーン成分符号化回路１１７ｂと非トーン成分符号化回路１１７ｃにおける信号符号化のための構成は、それぞれ前記図４と同じである。
【００７４】
図１５には、上記各信号成分からトーン性の信号成分を分離した場合の、前記図５の信号成分復号化回路１１４ｂの具体例を示す。
【００７５】
この図１５に示す信号成分復号回路回路１１４ｂにおいて、図５の符号列分解回路１１４ａから供給された符号１４０ａは、上記トーン成分データ１８０ａと非トーン性の信号成分１８０ｂからなり、これらデータ及び信号成分はそれぞれ対応するトーン成分復号化回路１１８ａと非トーン成分復号化回路１１８ｂに送られる。上記トーン成分復号化回路１１８ａでは、前記図１３に示したようなトーン成分データからトーン性の信号成分を復号化し、得られたトーン性の信号成分１８０ｃを出力する。また、上記非トーン成分復号化回路１１８ｂでは、非トーン性の信号成分を復号化し、得られた非トーン性の信号成分１８０ｄを出力する。これらトーン性の信号成分１８０ｃと非トーン性の信号成分１８０ｄは、共にスペクトル信号合成回路１１８ｃに送られる。このスペクトル信号合成回路１１８ｃでは、前記位置データに基づいて上記トーン性の信号成分と非トーン性の信号成分とを合成し、得られた信号成分１８０ｅを出力する。なお、トーン成分復号化回路１１８ａと非トーン成分復号化回路１１８bにおける信号復号化のための構成は、それぞれ前記図７と同じである。
【００７６】
以上、各チャネルの信号を効率的に符号化するための方法について述べたが、チャネル間の信号の相関を利用して符号化効率のさらなる向上を実現する方法が知られている。例えば、ＬチャネルとＲチャネルの信号波形がほとんど同一である場合、ＬチャネルとＲチャネルの代わりに、サンプル値が（Ｌ＋Ｒ）／２の値を持つ信号とサンプル値が（Ｌ−Ｒ）／２の値を持つ信号とを符号化してやれば、（Ｌ−Ｒ）／２の信号の値は小さな値となるので、少ないビット数で符号化を行なうことが可能となる。
【００７７】
図１６には上述の方法で符号化を行なう符号化装置の構成例を示す。
【００７８】
この図１６において、チャネル変換回路１１９ａは、Ｌチャネルの信号１９０ａ及びＲチャネルの信号１９０ｂを、（Ｌ＋Ｒ）チャネルの信号（サンプル値が（Ｌ＋Ｒ）／２の値を持つ信号）１９０ｃと、（Ｌ−Ｒ）チャネルの信号（サンプル値が（Ｌ−Ｒ）／２の値を持つ信号）１９０ｄとに変換する。
【００７９】
上記（Ｌ＋Ｒ）チャネルの信号１９０ｃは変換回路１１９ｂに、上記（Ｌ−Ｒ）チャネルの信号１９０ｄは変換回路１１９ｃに送られ、それぞれ前述の図２の変換回路１１１ａでの変換処理と同様に変換処理される。
【００８０】
上記変換回路１１９ｂからの信号成分１９０ｅは信号成分符号化回路１１９ｅに、上記変換回路１１９ｃからの信号成分１９０ｆは信号成分符号化回路１１９ｆにそれぞれ送られる。これら信号成分符号化回路１１９ｅと１１９ｆは、共に前記図２の信号成分符号化回路１１１ｂと同様に動作するものである。上記変換回路１１９ｂと変換回路１１９ｃの各信号成分１９０ｅ，１９０ｆはまた制御回路１１９ｄにも送られる。
【００８１】
ここで、上記制御回路１１９ｄは、上記変換回路１１９ｂと変換回路１１９ｃのそれぞれの信号成分１９０ｅ，１９０ｆに基づいて、上記信号成分符号化回路１１９ｅにおいて上記（Ｌ＋Ｒ）チャネルの信号成分を符号化する際の符号化割り当てビット数１９０ｇと、上記信号成分符号化回路１１９ｆにおいて上記（Ｌ−Ｒ）チャネルの信号成分を符号化する際の符号化割り当てビット数１９０ｈとを決定する。なお、この決定の際には、例えば各チャネルのエネルギに比例するように、全体のビットを割り振るようにしても良い。
【００８２】
したがって、上記信号成分符号化回路１１９ｅと１１９ｆでは、上記制御回路１１９ｄにて決定された割り当てビット数１９０ｇ、１９０ｈに基づいて、それぞれ上記（Ｌ＋Ｒ）チャネルの信号成分１９０ｅと（Ｌ−Ｒ）チャネルの信号成分１９０ｆを符号化する。
【００８３】
上記信号成分符号化回路１１９ｅと１１９ｆでの符号化により得られた符号１９０ｉと１９０ｊは、共に符号列生成回路１１９ｇに送られる。この符号列生成回路１１９ｇでは、上記（Ｌ＋Ｒ）チャネルと（Ｌ−Ｒ）チャネルの符号１９０ｉと１９０ｊから符号列１９０ｋを生成して出力する。
【００８４】
図１７には、上記図１６に符号化装置が生成した符号列１９０ｋを復号化する復号化装置の構成例を示す。
【００８５】
この図１７において、符号列分解回路２１１ａでは、上記符号列１９０ｋである符号列２１０ａから、上記（Ｌ＋Ｒ）チャネルの符号２１０ｂと（Ｌ−Ｒ）チャネルの符号２１０ｃを分離する。
【００８６】
上記（Ｌ＋Ｒ）チャネルの符号２１０ｂは信号成分復号化回路２１１ｂに、上記（Ｌ−Ｒ）チャネルの符号２１０ｃは信号成分復号化回路２１１ｃにそれぞれ送られる。これら信号成分復号化回路２１１ｂ、２１１ｃは、共に前述した図５の信号成分復号化回路１１４ｂと同様に復号化を行う。
【００８７】
これら信号成分復号化回路２１１ｂ、２１１ｃでの復号化により得られた（Ｌ＋Ｒ）チャネルの信号成分２１０ｄと（Ｌ−Ｒ）チャネルの信号成分２１０ｅは、それぞれ対応する逆変換回路２１１ｄ、２１１ｅに送られる。これら逆変換回路２１１ｄ、２１１ｅは、前記図５の逆変換回路１１４ｃと同様に逆変換を行う。
【００８８】
上記逆変換回路２１１ｄでの逆変換にて得られた（Ｌ＋Ｒ）チャネルの信号２１０ｆと上記逆変換回路２１１ｅでの逆変換にて得られた（Ｌ−Ｒ）チャネルの信号２１０ｇは、共にチャネル変換回路２１１ｆに送られる。このチャネル変換回路２１１ｆでは、上記（Ｌ＋Ｒ）チャネルと（Ｌ−Ｒ）チャネルの信号を、Ｌチャネルの信号２１０ｈとＲチャネルの信号２１０ｉに変換して出力する。
【００８９】
また、上述の方法とは別に、聴覚の性質を利用して、Ｌ、Ｒのチャネルの信号を効率的に符号化する方法が知られている。この方法は、Ｌ、Ｒのチャネルの信号の位相差が聴覚的なステレオ効果として寄与するのは主に低域成分であることを利用して効率的な符号化を実現するものであり、具体的には、低域側ではＬ、Ｒ両チャネルの信号をそれぞれ符号化するようにし、一方、高域側では（Ｌ＋Ｒ）チャネルの信号波形を正規化および量子化してその正規化係数のみをＬチャネルとＲチャネルとで異なるものを用いて符号化する、というものである。
【００９０】
図１８には、このような方法を用いて符号化を行なう符号化装置の構成例を示す。
【００９１】
この図１８に示す符号化装置には、Ｌチャネルの信号２２０ａとＲチャネルの信号２２０ｂとが入力され、これら信号２２０ａ、２２０ｂはそれぞれ対応した変換回路２２１ａ、２２１ｂによって、前述の図２の変換回路１１１ａと同様に変換処理が施される。これら変換回路２２１ａ、２２１ｂからの各チャネルの信号成分２２０ｃ、２２０ｄは、それぞれ対応した信号成分符号化回路２２１ｆ、２２１ｇに送られる。なおこれ以降、上記信号成分符号化回路２２１ｆ及び２２１ｇをそれぞれＢ型信号成分符号化回路と呼ぶことにする。これらＢ型信号成分符号化回路２２１ｆ、２２１ｇでは、上述したように、上記Ｌチャネルの信号成分２２０ｃとＲチャネルの信号成分２２０ｄの低域側の信号成分をそれぞれ符号化する。
【００９２】
また、上記変換回路２２１ａ、２２１ｂからの各チャネルの信号成分２２０ｃ、２２０ｄは、共にチャネル合成回路２２１ｄにも送られる。当該チャネル合成回路２２１ｄでは、上記Ｌ，Ｒチャネルの信号成分２２０ｃと２２０ｄを加算し、得られた（Ｌ＋Ｒ）チャネルの信号成分２２０ｈを出力する。この（Ｌ＋Ｒ）チャネルの信号成分２２０ｈは、信号成分符号化回路２２１ｅに送られる。なおこれ以降、上記信号成分符号化回路２２１ｅをＡ型信号成分符号化回路と呼ぶことにする。このＡ型信号成分符号化回路２２１ｅでは、上述したように、（Ｌ＋Ｒ）チャネルの信号成分２２０ｈの高域側の信号成分を正規化および量子化してその正規化係数のみをＬチャネルとＲチャネルとで異なるものを用いて符号化する。
【００９３】
制御回路２２１ｃは前記図１６の制御回路１１９ｄとほぼ同様なものであるが、この図１８の制御回路２１１ｃでは、２つのチャネル（図１８の例ではＬ、Ｒチャネル）の信号成分２２０ｃ、２２０ｄに基づいて、上記チャネル合成回路２２１ｄからの（Ｌ＋Ｒ）チャネルに対する符号化割り当てビット数２２０ｅと、上記Ｌチャネルの信号成分２２０ｃに対する符号化割り当てビット数２２０ｆと、上記Ｒチャネルの信号成分２２０ｄに対する符号化割り当てビット数２２０ｇとを決定する。
【００９４】
したがって、上記Ａ型信号成分符号化回路２２１ｅとＢ型信号成分符号化回路２２１ｆ、２２１ｇでは、上記制御回路２２１ｃにてそれぞれ決定された割り当てビット数２２０ｅ、２２０ｆ、２２０ｇに基づいて、上記（Ｌ＋Ｒ）チャネルの信号成分２２０ｈとＬチャネルの信号成分２２０ｃ、Ｒチャネルの信号成分２２０ｄとをそれぞれ符号化する。
【００９５】
上記Ａ型信号成分符号化回路２２１ｅとＢ型信号成分符号化回路２２１ｆ、２２１ｇでの符号化により得られた符号２２０ｋ、２２０ｌ、２２０ｍは、共に符号列生成回路２２１ｈに送られる。この符号列生成回路２２１ｈでは、上記各符号２２０ｋ，２２０ｌ，２２０ｍから符号列２２０ｎを生成して出力する。
【００９６】
図１９には、上記図１８の構成におけるＡ型信号成分符号化回路２２１ｅの構成例を示す。この図１９の信号成分符号化回路２２１ｅは、基本的には前記図４に示した信号成分符号化回路と同様の構成をとるが、その出力信号に正規化係数情報が含まれないところが異なっている。
【００９７】
この図１９において、上記チャネル合成回路２２１ｄからの（Ｌ＋Ｒ）チャネルの信号成分２２０ｈである信号成分２３０ａは、正規化回路２３１ａによって所定の帯域毎に正規化されると共に、量子化精度決定回路２３１ｂに送られる。この量子化精度決定回路２３１ｂでは、上記信号成分２３０ａと、上記割り当てビット数２２０ｅである割り当てビット数２３０ｂとに基づいて、量子化精度情報２３０ｅを計算する。
【００９８】
上記正規化回路２３１ａからの正規化されたスペクトル係数データ２３０ｃと上記量子化精度決定回路２３１ｂからの量子化精度情報２３０ｅとは量子化回路２３１ｃに送られる。当該量子化回路２３１ｃでは、上記正規化されたスペクトル係数データ２３０ｃを上記量子化精度情報２３０ｅに基づいて量子化する。当該量子化回路２３１ｃでの量子化により得られた符号２３０ｆは、上記量子化精度情報２３０ｅと同時に、前記図１８の符号２２０ｋとして出力される。
【００９９】
図２０には、図１８のＢ型信号成分符号化回路２２１ｆ，２２１ｇの構成例を示す。
【０１００】
この図２０において、当該Ｂ型信号成分符号化回路では、前記図１８の変換回路２２１ａからのＬチャネルの信号２２０ｃ或いは前記変換回路２２１ｂからのＲチャネルの信号成分２２０ｄである信号成分２４０ａを、信号分離回路２４１ａによって低域側の信号成分２４０ｃと高域側の信号成分２４０ｄに分離する。
【０１０１】
上記低域側の信号成分２４０ｃは、前記図４と同様の正規化回路２４１ｂ、量子化回路２４１ｅ、及び量子化精度決定回路２４１ｄによって符号化される。但し、上記量子化精度決定回路２４１ｄでは、図１８の制御回路２２１ｃからの符号化割り当てビット数２４０ｂに基づいて、量子化精度を決定する。
【０１０２】
一方、上記高域側の信号成分２４０ｄについては正規化回路２４１ｃにて正規化され、その正規化されたスペクトル係数データ２４０ｇのみが出力される。
【０１０３】
上記低域側の量子化精度決定回路２４１ｄからの量子化精度情報２４０ｆと上記量子化回路２４１ｅからの符号２４０ｈと正規化回路２４１ｂからの正規化係数情報２４０ｉ、及び、上記高域側の正規化回路２４１ｃからの正規化されたスペクトル係数データ２４０ｇは、前記図１８の符号２２０ｌ或いは２２０ｍとして図１８の符号列生成回路２２１ｈに送られる。
【０１０４】
図２１には、前記図１８の符号列生成回路２２１ｈが生成する符号列の構成例を示す。
【０１０５】
この図２１において、符号列は、同期信号と低域の符号化ユニット数とからなるヘッダ、第１チャネル（Ｌチャネル）の低域側の符号化データ、第２チャネル（Ｒチャネル）の低域側の符号化データ、高域側の符号化データからなる。ここで、低域側に関しては、第１チャネル（Ｌチャネル）と第２チャネル（Ｒチャネル）とで、それぞれ独立な符号化データとして、量子化精度情報、正規化係数情報及びスペクトル係数データが与えられるが、高域側に関しては、第１チャネル（Ｌチャネル）と第２チャネル（Ｒチャネル）の正規化係数情報以外は、これらチャネル（第１チャネル及び第２チャネル）で共通なデータになっている。すなわち、図２１においては、量子化精度情報及びスペクトル係数データは、第１及び第２チャネルで共通なデータとなっている。
【０１０６】
図２２には、図２１に示した符号列の符号化データを復号する復号化装置の構成例を示す。
【０１０７】
この図２２において、上記図２１に示した符号列の符号化データ２５０ａは、符号列分離回路２５１ａにて、ＬチャネルとＲチャネルに分離される。ただし、両チャネルで共通である高域データは、信号成分復号化回路２５１ｂ及び２５１ｃの両方に送られる。Ｌチャネルの符号化データ２５０ｂは信号成分復号化回路２５１ｂにて復号化され、Ｒチャネルの符号化データ２５０ｃは信号成分復号化回路２５１ｃにて復号化される。
【０１０８】
これら信号成分復号化回路２５１ｂ，２５１ｃにて復号化された信号成分２５０ｄ，２５０ｅは、それぞれ対応する逆変換回路２５１ｄ，２５１ｅに送られる。逆変換回路２５１ｄ，２５１ｅにてそれぞれ逆変換されることで、Ｌチャネルの時系列信号２５０ｆとＲチャネルの時系列信号２５０ｇとが復元される。
【０１０９】
ところで、前記図１６にて説明したような、全帯域で（Ｌ＋Ｒ）に相当するチャネルと（Ｌ−Ｒ）に相当するチャネルを符号化する方法では、例えば一方のチャネルの信号のレベルが小さいような場合であっても、これら２つのチャネルの信号を符号化しなければならないため、符号化による圧縮の効率を上げる上では限界がある。また、図１８にて説明したような、高域側では正規化係数のみを符号化する方法でも、やはり全帯域の正規化係数を符号化するためにはそれ相応のビット数が必要になってしまう。さらにまた、上述の方法ではどちらもＬ，Ｒ両チャネルに対して、全帯域の変換処理、逆変換処理を行なう必要があり、そのために多くの演算処理量やバッファメモリ量が必要である。
【０１１０】
そこで、本発明実施の形態では、低域側の信号に関しては、Ｌ，Ｒ両チャネルの信号、またはそれらを復元することができる信号を符号化するようにし、一方、高域側の信号に関してはＬ，Ｒチャネルで共通の信号を用いるか、またはＬ，Ｒチャネルで共通の信号のレベルのみ変更したものを再生できるようにすることによって、効率の良い符号化を実現するとともに、復号化および符号化のための処理を軽減できるようにしている。以下、図を用いてこのことを説明する。
【０１１１】
図２３には、上記本実施の形態による方法で符号化を行なう符号化装置の構成例を示す。
【０１１２】
この図２３において、Ｌチャネルの信号２６０ａは変換回路２６１ａに、Ｒチャネルの信号２６０ｂは変換回路２６１ｂに入力される。これら変換回路２６１ａ，２６１ｂは前述同様のものであり、それぞれ入力された信号の変換処理を行う。上記変換回路２６１ａにて変換されたＬチャネルの信号成分２６０ｃは低域信号分離回路２６１ｇに、上記変換回路２６１ｂにて変換されたＲチャネルの信号成分２６０ｄは低域信号分離回路２６１ｈに送られる。
【０１１３】
これら低域信号分離回路２６１ｇと２６１ｈでは、それぞれ供給された信号成分の低域側の信号成分のみを分離し、低域信号成分２６０ｊと２６０ｋとしてそれぞれ対応する信号成分符号化回路２６１ｊと２６１ｋに送る。
【０１１４】
上記Ｌチャネルの低域側の信号成分２６０ｊが供給された信号成分符号化回路２６１ｊと、上記Ｒチャネルの低域側の信号成分２６０ｋが供給された信号成分符号化回路２６１ｋでは、これらＬ，Ｒチャネルの低域信号成分をそれぞれ符号化する。これら信号成分符号化回路２６１ｊ，２６０ｋからの符号２６０ｍ，２６０ｎは、符号列生成回路２６１ｌに送られる。
【０１１５】
なお、ここではＬ，Ｒの各チャネルの低域信号成分をそれぞれ符号化するようにしているが、Ｌ，Ｒ両チャネルの低域信号成分を復元することができる信号を符号化するようにしてもよい。
【０１１６】
また、上記変換回路２６１ａ、２６１ｂからの各チャネルの信号成分２６０ｃ，２６０ｄは、共にチャネル合成回路２６１ｅにも送られる。当該チャネル合成回路２６１ｅでは、上記Ｌ，Ｒチャネルの信号成分２６０ｃと２６０ｄを加算し、得られた（Ｌ＋Ｒ）チャネルの信号成分２６０ｈを出力する。この（Ｌ＋Ｒ）チャネルの信号成分２６０ｈは、高域信号分離回路２６１ｆに送られる。
【０１１７】
当該高域信号分離回路２６１ｆでは、供給された（Ｌ＋Ｒ）チャネルの信号成分２６０ｈの高域側の信号成分のみを分離し、その高域信号成分２６０ｉを信号成分符号化回路２６１ｉに送る。
【０１１８】
上記信号成分符号化回路２６１ｉでは、上記（Ｌ＋Ｒ）チャネルの高域信号成分２６０ｉを符号化する。当該信号成分符号化回路２６１ｉからの符号２６０ｌは、符号列生成回路２６１ｌに送られる。
【０１１９】
なお、ここではＬ，Ｒチャネル共通の信号である（Ｌ＋Ｒ）チャネルの高域信号成分を符号化するようにしているが、Ｌ，Ｒチャネル共通の信号のレベルのみ変更したものを符号化するようにしてもよい。
【０１２０】
制御回路２６１ｃでは、上記変換回路２６１ａ、２６１ｂからの各チャネルの信号成分２６０ｃ，２６０ｄに基づいて、上記（Ｌ＋Ｒ）チャネルの高域信号成分２６０ｉに対する符号化割り当てビット数２６０ｅと、上記Ｌチャネルの低域信号成分２６０ｊに対する符号化割り当てビット数２６０ｆと、上記Ｒチャネルの低域信号成分２６０ｋに対する符号化割り当てビット数２６０ｇとを決定する。なお、この制御回路２６１ｃによる符号化割り当てビット数制御の具体的方法については後述する。
【０１２１】
したがって、上記各信号成分符号化回路２６１ｉ，２６１ｊ，２６１ｋでは、上記制御回路２６１ｃにてそれぞれ決定された割り当てビット数２６０ｅ，２６０ｆ，２６０ｇに基づいて、それぞれ対応する上記（Ｌ＋Ｒ）チャネルの高域信号成分２６０ｉと上記Ｌチャネルの低域信号成分２６０ｊ、上記Ｒチャネルの低域信号成分２６０ｋを符号化する。
【０１２２】
上記符号列生成回路２６１ｌでは、上記各信号成分符号化回路２６１ｉ，２６１ｊ，２６１ｋからの符号２６０ｌ，２６０ｍ，２６０ｎから、符号列２６０ｏを生成して出力する。
【０１２３】
図２４には、図２３の各信号成分符号化回路２６１ｉ，２６１ｊ，２６１ｋの構成例を示す。
【０１２４】
この図２４において、上記（Ｌ＋Ｒ）チャネルの高域信号成分２６０ｉ、上記Ｌチャネルの低域信号成分２６０ｊ、上記Ｒチャネルの低域信号成分２６０ｋの何れかである信号成分２７０ａは、正規化回路２７１ａによって所定の帯域毎に正規化されると共に、量子化精度決定回路２７１ｂに送られる。この量子化精度決定回路２７１ｂでは、上記信号成分２７０ａと、前記符号化割り当てビット数２６０ｅ，２６０ｆ，２６０ｇの何れかに相当する２７０ｂに基づいて、量子化精度情報２７０ｄを計算する。
【０１２５】
上記正規化回路２７１ａからの正規化されたスペクトル係数データ２７０ｃと上記量子化精度決定回路２７１ｂからの量子化精度情報２７０ｄとは量子化回路２７１ｃに送られる。当該量子化回路２７１ｃでは、上記正規化されたスペクトル係数データ２７０ｃを上記量子化精度情報２７０ｄに基づいて量子化する。当該量子化回路２７１ｃでの量子化により得られた符号２７０ｅは、上記量子化精度情報２７０ｄ及び正規化係数情報２７０ｆと同時に、前記図２３の符号２６０ｌ，２６０ｍ，２６０ｎの何れかとして出力される。
【０１２６】
図２５には、図２３の制御回路２６１ｃが各フレームにおいて信号成分符号化回路２６１ｉ，２６１ｊ，２６１ｋにそれぞれ割り振る使用可能なビット数データ（すなわち前記割り当てビット数２６０ｅ，２６０ｆ，２６０ｇにて示されるビット数）を求める処理例を示している。なお、この図２５では、上記（Ｌ＋Ｒ）チャネルの高域信号成分２６０ｉに対するフレーム毎の使用可能なビット数データをＢｈと表し、上記Ｌチャネルの低域信号成分２６０ｊに対するフレーム毎の使用可能なビット数データをＢ１と表し、上記Ｒチャネルの低域信号成分２６０ｋに対するフレーム毎の使用可能なビット数データをＢ２と表している。すなわち、上記ビット数データＢｈにて示されるビット数は上記図２３の信号成分符号化回路２６１ｉから出力される符号２６０ｌのフレーム毎のビット数に相当し、上記ビット数データＢ１にて示されるビット数は上記図２３の信号成分符号化回路２６１ｊから出力される符号２６０ｍのフレーム毎のビット数に相当し、上記ビット数データＢ２にて示されるビット数は上記図２３の信号成分符号化回路２６１ｋから出力される符号２６０ｎのフレーム毎のビット数に相当する。
【０１２７】
この図２５において、ステップＳ１０１では（Ｌ＋Ｒ）チャネルの高域側の信号のエネルギＥｈを求め、ステップＳ１０２ではＬチャネルの低域側の信号のエネルギＥ１を求め、ステップＳ１０３ではＲチャネルの低域側の信号のエネルギＥ２を求める。
【０１２８】
次にステップＳ１０４では、上記求めた各エネルギＥｈ，Ｅ１，Ｅ２に対して、（Ｌ＋Ｒ）チャネルの重み係数Ａｈ，Ｌチャネルの重み係数Ａ１，Ｒチャネルの重み係数Ａ２を用いた重み付け加算を行い、その演算結果Ｓを求める。
【０１２９】
ステップＳ１０５及びステップＳ１０６では、ＬチャネルとＲチャネルについてヘッダ以外の部分に割り振ることができる総ビット数Ｂを、信号成分符号化回路２６１ｊ、２６１ｋでのそれぞれの符号化部分の重み付けエネルギに比例するように、上記ビット数データＢ１，Ｂ２として分配し、ステップＳ１０７においてその残りを上記ビット数データＢｈとして信号成分符号化回路２６１ｉでの符号化部分に割り当てる。
【０１３０】
図２６には、図２３の符号化装置が出力する符号列の構成例を示す。
【０１３１】
この図２６において、符号列は、同期信号と低域の符号化ユニット数とからなるヘッダ、第１チャネル（Ｌチャネル）の低域側の符号化データ（量子化精度情報、正規化係数情報及びスペクトル係数データ）、第２チャネル（Ｒチャネル）の低域側の符号化データ（量子化精度情報、正規化係数情報及びスペクトル係数データ）、（Ｌ＋Ｒ）チャネルの高域側の符号化データ（量子化精度情報、正規化係数情報及びスペクトル係数データ）からなる。この図２６において、前記図２１の符号列と比べると、高域側の正規化係数情報が１チャネル分で済むため、より少ないビット数での符号化が可能となる。このように高域側の信号を共通化すると、音の広がり感は多少落ちることになるが、ステレオ感は高域信号よりも低域側の信号が支配的な影響を与えるので、このようにしても使用者はステレオの音響再生を楽しむことができる。
【０１３２】
図２７には、図２６に示した符号列を復号化するための復号化装置の構成例を示す。
【０１３３】
この図２７において、上記図２６に示した符号列の符号化データ２８０ａは、符号列分離回路２８１ａにて、高域側の（Ｌ＋Ｒ）チャネルと低域側のＬチャネル及びＲチャネルに分離される。高域側の（Ｌ＋Ｒ）チャネルの符号化データ２８０ｂは信号成分復号化回路２８１ｂにて復号化され、低域側のＬチャネルの符号化データ２８０ｃは信号成分復号化回路２８１ｃにて復号化され、低域側のＲチャネルの符号化データ２８０ｄは信号成分復号化回路２８１ｄにて復号化される。
【０１３４】
上記信号成分復号化回路２８１ｂと２８１ｃにてそれぞれ復号化された高域側の（Ｌ＋Ｒ）チャネルと低域側のＬチャネルの各信号成分２８０ｅ，２８０ｆは、それぞれ信号成分合成回路２８１ｅに、また、上記信号成分復号化回路２８１ｂと２８１ｄにてそれぞれ復号化された高域側の（Ｌ＋Ｒ）チャネルと低域側のＲチャネルの各信号成分２８０ｅ，２８０ｇは、それぞれ信号成分合成回路２８１ｆに送られる。
【０１３５】
上記信号成分合成回路２８１ｅでは、上記（Ｌ＋Ｒ）チャネルの高域信号成分２８０ｅと、上記Ｌチャネルの低域信号成分２８０ｆとを加えることによって低域と高域を合成し、当該合成により得られた全帯域のＬチャネルの信号成分２８０ｈを逆変換回路２８１ｈに送る。
【０１３６】
また、上記信号成分合成回路２８１ｆでは、上記（Ｌ＋Ｒ）チャネルの高域信号成分２８０ｅと、上記Ｒチャネルの低域信号成分２８０ｇとを加えることによって低域と高域を合成し、当該合成により得られた全帯域のＲチャネルの信号成分２８０ｉを逆変換回路２８１ｉに送る。
【０１３７】
これら逆変換回路２８１ｈ，２８１ｉでは、上記全体域のＬチャネル，Ｒチャネルの信号成分をそれぞれ逆変換することで、Ｌチャネルの時系列信号２８０ｊとＲチャネルの時系列信号２８０ｋとを復元する。
【０１３８】
以上の説明からも明らかなように、本発明実施の形態の方法を用いれば、より少ないビット数でステレオの信号を符号化することが可能である。
【０１３９】
さらに次に述べるような本発明の方法を利用することによって処理量やバッファメモリ量を効果的に減らすことも可能であり、以下に、本発明の別の実施の形態として当該処理量やバッファメモリ量を低減する例を説明する。
【０１４０】
図２８には、本発明の上記他の実施の形態の符号化装置の構成例を示す。なお、当該他の実施の形態の方法では、帯域分割フィルタと順スペクトル変換回路を組み合わせた処理を行う例を挙げている。
【０１４１】
この図２８において、Ｌチャネルの信号２９０ａは帯域分割フィルタ２９１ａに、Ｒチャネルの信号２９０ｂは帯域分割フィルタ２９１ｂに入力される。上記帯域分割フィルタ２９１ａは、上記Ｌチャネルの信号２９０ａを低域と高域とに分割し、上記帯域分割フィルタ２９１ｂは、上記Ｒチャネルの信号２９０ｂを低域と高域とに分割する。
【０１４２】
上記帯域分割フィルタ２９１ａにて分割されたＬチャネル低域信号２９０ｄは順スペクトル変換回路２９１ｅに、上記帯域分割フィルタ２９１ｂにて分割されたＲチャネル低域信号２９０ｆｆは順スペクトル変換回路２９１ｆに送られる。
【０１４３】
一方、上記帯域分割フィルタ２９１ａ，２９１ｂにて分割されたＬ，Ｒチャネルの高域信号２９０ｃ，２９０ｅは、ともにチャネル合成回路２９１ｃに送られ、当該チャネル合成回路２９１ｃにて（Ｌ＋Ｒ）チャネル高域信号２９０ｇに合成されて順スペクトル変換回路２９１ｄに送られる。
【０１４４】
これら上記順スペクトル変換回路２９１ｄ，２９１ｅ，２９１ｆでは、それぞれ入力された信号を順スペクトル変換し、得られた各信号成分２９０ｈ，２９０ｉ，２９０ｊをそれぞれ対応する信号成分符号化回路２９１ｈ，２９１ｉ，２９１ｊに送る。
【０１４５】
また、上記順スペクトル変換回路２９１ｄ，２９１ｅ，２９０ｆからの各信号成分２９０ｈ，２９０ｉ，２９０ｊは、制御回路２９１ｇにも送られる。当該制御回路２９１ｇでは、上記順スペクトル変換回路２９１ｄ，２９１ｅ，２９０ｆからの各信号成分２９０ｈ，２９０ｉ，２９０ｊに基づいて、前記図２３の場合と同様に、上記（Ｌ＋Ｒ）チャネルの高域信号成分２９０ｈに対する符号化割り当てビット数２９０ｋと、上記Ｌチャネルの低域信号成分２９０ｉに対する符号化割り当てビット数２９０ｌと、上記Ｒチャネルの低域信号成分２９０ｊに対する符号化割り当てビット数２９０ｍとを決定する。
【０１４６】
したがって、上記各信号成分符号化回路２９１ｈ，２９１ｉ，２９１ｊでは、上記制御回路２９１ｇにてそれぞれ決定された割り当てビット数２９０ｋ，２９０ｌ，２９０ｍに基づいて、それぞれ対応する上記（Ｌ＋Ｒ）チャネルの高域信号成分２９０ｈと上記Ｌチャネルの低域信号成分２９０ｉ、上記Ｒチャネルの低域信号成分２９０ｊを符号化する。
【０１４７】
符号列生成回路２９１ｋでは、上記各信号成分符号化回路２９１ｈ，２９１ｉ，２９１ｊからの符号２９０ｎ，２９０ｏ，２９０ｐから、前記図２６と同様の符号列２９０ｑを生成して出力する。
【０１４８】
この図２８の構成において注目すべきことは、高域側の順スペクトル変換が両チャネル共通（（Ｌ＋Ｒ）チャネル）であるため、符号化等の処理は１回で済むことであり、これにより、処理演算量およびバッファメモリ量を節約することができる。すなわち、前記図２１に示したような符号列を出力する方法では、たとえ変換回路として上述のような帯域分割フィルタと順スペクトル変換回路とを組み合わせたものを用いたとしても、正規化係数情報をＬ，Ｒチャネル独立に求める必要があるため、高域側の変換も含めて２チャネル分について処理を行なう必要があったのに対して、この図２８の構成に適用される方法を用いれば、高域側の信号の順スペクトル変換処理は２チャネルに対して１回で済み、都合が良い。
【０１４９】
図２９には、上記図２８に示した符号化装置が生成した符号列を復号化するための復号化装置の構成例を示す。
【０１５０】
この図２９において、前記図２６同様の符号列の符号化データ３１０ａは、符号列分離回路３１１ａにて、高域側の（Ｌ＋Ｒ）チャネルと低域側のＬチャネル及びＲチャネルに分離される。高域側の（Ｌ＋Ｒ）チャネルの符号化データ３１０ｂは信号成分復号化回路３１１ｂにて復号化され、低域側のＬチャネルの符号化データ３１０ｃは信号成分復号化回路３１１ｃにて復号化され、低域側のＲチャネルの符号化データ３１０ｄは信号成分復号化回路３１１ｄにてそれぞれ復号化される。
【０１５１】
これら各信号成分復号化回路３１１ｂ，３１１ｃ，３１１ｄにてそれぞれ復号化された高域側の（Ｌ＋Ｒ）チャネル，低域側のＬチャネル，低域側のＲチャネルの各信号成分３１０ｅ，３１０ｆ，３１０ｇは、それぞれ対応する逆スペクトル変換回路３１１ｅ，３１１ｆ，３１１ｇに送られ、逆スペクトル変換される。
【０１５２】
上記逆スペクトル変換回路３１１ｅからの高域側の（Ｌ＋Ｒ）チャネルの信号３１０ｈと、上記逆スペクトル変換回路３１１ｆからの低域側のＬチャネルの信号３１０ｉは、帯域合成フィルタ３１１ｈに送られる。この帯域合成フィルタ３１１ｈでは、上記（Ｌ＋Ｒ）チャネルの高域信号３１０ｈと、上記Ｌチャネルの低域信号３１０ｉとをフィルタ合成することによって低域と高域を合成し、当該合成により得られた全帯域のＬチャネルの時系列信号３１０ｋを出力する。
【０１５３】
また、上記逆スペクトル変換回路３１１ｅからの高域側の（Ｌ＋Ｒ）チャネルの信号３１０ｈと、上記逆スペクトル変換回路３１１ｇからの低域側のＲチャネルの信号３１０ｊは、帯域合成フィルタ３１１ｉに送られる。この帯域合成フィルタ３１１ｉでは、上記（Ｌ＋Ｒ）チャネルの高域信号３１０ｈと、上記Ｒチャネルの低域信号３１０ｊとをフィルタ合成することによって低域と高域を合成し、当該合成により得られた全帯域のＲチャネルの時系列信号３１０ｌを出力する。
【０１５４】
この図２９に示す復号化装置においても、高域側の逆スペクトル変換は両チャネル共通（（Ｌ＋Ｒ）チャネル）で１回だけ行なえば良いことがわかる。前記図２２のような符号列を復号化する方法では、例え逆変換回路として上述のように、逆スペクトル変換と帯域合成フィルタを組み合わせたものを用いたとしても、それぞれのチャネルでは正規化係数が異なるため、全帯域にわたってＬ，Ｒチャネル独立に逆変換処理を行なう必要があるが、当該他の実施の形態の方法に基づく上述の復号化方法であれば、処理演算量およびバッファメモリ量を節約することができる。
【０１５５】
ここで、ステレオ感を高めるために、高域側のＬ，Ｒチャネルの信号のレベルが異なるように、図２６に示した符号列を再生することも可能である。
【０１５６】
図３０にはそのようなことを行う復号化装置の構成を示す。
【０１５７】
この図３０において、前記図２６同様の符号列の符号化データ３２０ａは、符号列分離回路３２１ａにて、高域側の（Ｌ＋Ｒ）チャネルと低域側のＬチャネル及びＲチャネルに分離される。高域側の（Ｌ＋Ｒ）チャネルの符号化データ３２０ｂは信号成分復号化回路３２１ｂにて復号化され、低域側のＬチャネルの符号化データ３２０ｃは信号成分復号化回路３２１ｃにて復号化され、低域側のＲチャネルの符号化データ３２０ｄは信号成分復号化回路３２１ｄにてそれぞれ復号化される。
【０１５８】
これら各信号成分復号化回路３２１ｂ，３２１ｃ，３２１ｄにてそれぞれ復号化された高域側の（Ｌ＋Ｒ）チャネル，低域側のＬチャネル，低域側のＲチャネルの各信号成分３２０ｅ，３２０ｆ，３２０ｇは、それぞれ対応する逆スペクトル変換回路３２１ｅ，３２１ｆ，３２１ｇに送られ、それぞれ逆スペクトル変換される。
【０１５９】
上記逆スペクトル変換回路３２１ｆからのＬチャネルの低域信号３２０ｉと、上記逆スペクトル変換回路３２１ｇからのＲチャネルの低域信号３２０ｊは、それぞれ対応する帯域合成フィルタ３２１ｋと３２１ｌに送られると同時に、重み付け決定回路３２１ｈにも送られる。この重み付け決定回路３２１ｈでは、ＬチャネルとＲチャネルに対する重み付け係数を決定し、当該決定されたＬチャネルとＲチャネルの重み付け係数３２０ｋ，３２０ｌを、それぞれ対応する重み付け回路３２１ｉ，３２１ｊに送る。
【０１６０】
これら重み付け回路３２１ｉ及び３２１ｊには、上記逆スペクトル変換回路３２１ｅからの（Ｌ＋Ｒ）チャネルの高域信号３２０ｈが供給されている。これら重み付け回路３２１ｉと３２１ｊでは、（Ｌ＋Ｒ）チャネルの高域信号３２０ｈに対して、上記ＬチャネルとＲチャネルに対する重み付け係数を用いて、Ｌ，Ｒチャネル別々に重み付けを行う。上記重み付け回路３２１ｉにてＬチャネルに対する重み付けがなされた（Ｌ＋Ｒ）チャネルの高域信号３２０ｍは上記帯域合成フィルタ３２１ｋに送られ、上記重み付け回路３２１ｊにてＲチャネルに対する重み付けがなされた（Ｌ＋Ｒ）チャネルの高域信号３２０ｎは上記帯域合成フィルタ３２１ｌに送られる。
【０１６１】
すなわち、当該図３０の復号化装置では、上記重み付け決定回路３２１ｈがＬチャネル、Ｒチャネルの低域側の信号レベルから重み付けのための重み付け係数３２０ｋ，３２０ｌを決定し、上記重み付け回路３２１ｉ，３２１ｊではそれらの重み付け係数３２０ｋ，３２０ｌに比例するようにそれぞれの信号のサンプル値を補正するようにしている。
【０１６２】
上記帯域合成フィルタ３２１ｋでは、上記Ｌチャネルに対する重み付けがなされた（Ｌ＋Ｒ）チャネルの高域信号３２０ｍと、上記Ｌチャネルの低域信号３２０ｉとをフィルタ合成することによって低域と高域を合成し、当該合成により得られた全帯域のＬチャネルの時系列信号３２０ｏを出力する。
【０１６３】
一方、上記帯域合成フィルタ３２１ｌでは、上記Ｒチャネルに対する重み付けがなされた（Ｌ＋Ｒ）チャネルの高域信号３２０ｎと、上記Ｒチャネルの低域信号３２０ｊとをフィルタ合成することによって低域と高域を合成し、当該合成により得られた全帯域のＲチャネルの時系列信号３２０ｐを出力する。
【０１６４】
図３１には、上記図３０の復号化装置の重み付け決定回路３２１ｈが、第１チャネル（Ｌチャネル）に対する重み付け係数３２０ｋ（図３１には重み付けパラメータｒ１として示す）と、第２チャネル（Ｒチャネル）に対する重み付け係数３２０ｌ（図３１には重み付けパラメータｒ２として示す）とを決定する際の処理例を示す。
【０１６５】
ここで、当該処理では、低域側の信号のエネルギに比例するように、高域側の信号のエネルギもＬ，Ｒチャネルに分配するようにしている。このため、先ずステップＳ２０１においては、Ｌチャネルの低域信号３２０ｉを用い、当該Ｌチャネルの低域信号３２０ｉのエネルギに比例するように、Ｌチャネルの高域側の信号エネルギＥＩ１を求め、同じく、ステップＳ２０２においては、Ｒチャネルの低域信号３２０ｊを用い、当該Ｒチャネルの低域信号３２０ｊのエネルギに比例するように、Ｒチャネルの高域側の信号エネルギＥＩ２を求める。
【０１６６】
次に、ステップＳ２０３において、上記Ｌチャネルの高域側の信号エネルギＥＩ１とＲチャネルの高域側の信号エネルギＥＩ２との和ＳＩを求める。ステップＳ２０４では、上記信号エネルギＥＩ１を上記和ＳＩで割ったものの平方根を、上記第１チャネル（Ｌチャネル）に対する重み付けパラメータｒ１とする。また、第２チャネル（Ｒチャネル）に対する重み付けパラメータｒ２も、上記信号エネルギＥＩ２を上記和ＳＩで割ったものの平方根とするが、これら重み付けパラメータｒ１とｒ２の関係から容易にわかるように、ステップＳ２０５の式によって上記重み付けパラメータｒ２を求めることもできる。
【０１６７】
以上の例では、高域側の符号はすべて、Ｌ，Ｒ両チャネル共通としたが、Ｌチャネル、Ｒチャネルのレベル制御のデータ（例えば重み付けパラメータ）を符号列に含めるようにしても良い。これにより、より忠実なステレオ感を与えるようにすることが可能である。また、低域側の信号をＬ、Ｒチャネルのままでなく、（Ｌ＋Ｒ）チャネル、（Ｌ−Ｒ）チャネルの信号に変換してから符号化するようにしても良い。そうすることにより、特にＬチャネルとＲチャネルの相関が強い場合には、（Ｌ−Ｒ）チャネルの信号のレベルが小さくなり、より効率的な符号化が可能となる。
【０１６８】
図３２には、上述の2つの方法を組み込んだ本発明による他の実施の形態の符号化装置の構成例を示す。
【０１６９】
この図３２において、Ｌチャネルの信号３３０ａは帯域分割フィルタ３３１ａに、Ｒチャネルの信号３３０ｂは帯域分割フィルタ３３１ｂに入力される。上記帯域分割フィルタ３３１ａは、上記Ｌチャネルの信号３３０ａを低域と高域とに分割し、上記帯域分割フィルタ３３１ｂは、上記Ｒチャネルの信号３３０ｂを同じく低域と高域とに分割する。
【０１７０】
上記帯域分割フィルタ３３１ａにて分割されたＬチャネル低域信号３３０ｄと上記帯域分割フィルタ３３１ｂにて分割されたＲチャネル低域信号３３０ｆは共にチャネル変換回路３３１ｄに送られる。
【０１７１】
当該チャネル変換回路３３１ｄは、上記Ｌチャネル低域信号３３０ｄとＲチャネル低域信号３３０ｆとを、（Ｌ＋Ｒ）チャネル低域信号３３０ｈと（Ｌ−Ｒ）チャネル低域信号３３０ｉに変換する。
【０１７２】
上記（Ｌ＋Ｒ）チャネル低域信号３３０ｈは順スペクトル変換回路３３１ｆに、上記（Ｌ−Ｒ）チャネル低域信号３３０ｉは順スペクトル変換回路３３１ｇに送られる。
【０１７３】
一方、上記帯域分割フィルタ３３１ａ，３３１ｂにて分割されたＬ，Ｒチャネルの高域信号３３０ｃ，３３０ｅは、ともにチャネル合成回路３３１ｃに送られ、当該チャネル合成回路３３１ｃにて（Ｌ＋Ｒ）チャネル高域信号３３０ｇに合成されて順スペクトル変換回路３３１ｅに送られる。
【０１７４】
これら上記順スペクトル変換回路３３１ｅ，３３１ｆ，３３１ｇでは、それぞれ入力された信号を順スペクトル変換し、得られた各信号成分３３０ｊ，３３０ｋ，３３０ｌをそれぞれ対応する信号成分符号化回路３３１ｉ，３３１ｊ，３３１ｋに送る。
【０１７５】
また、上記順スペクトル変換回路３３１ｅ，３３１ｆ，３３１ｇからの各信号成分３３０ｊ，３３０ｋ，３３０ｌは、制御回路３３１ｈにも送られる。当該制御回路３３１ｈでは、上記順スペクトル変換回路３３１ｅ，３３１ｆ，３３１ｇからの各信号成分３３０ｊ，３３０ｋ，３３０ｌに基づいて、上記（Ｌ＋Ｒ）チャネルの高域信号成分３３０ｊに対する符号化割り当てビット数３３０ｍと、上記（Ｌ＋Ｒ）チャネルの低域信号成分３３０ｋに対する符号化割り当てビット数３３０ｎと、上記（Ｌ−Ｒ）チャネルの低域信号成分３３０ｌに対する符号化割り当てビット数３３０ｏとを決定する。
【０１７６】
したがって、上記各信号成分符号化回路３３１ｉ，３３１ｊ，３３１ｋでは、上記制御回路３３１ｈにてそれぞれ決定された割り当てビット数３３０ｍ，３３０ｎ，３３０ｏに基づいて、それぞれ対応する上記（Ｌ＋Ｒ）チャネルの高域信号成分３３０ｊと上記（Ｌ＋Ｒ）チャネルの低域信号成分３３０ｋ、上記（Ｌ−Ｒ）チャネルの低域信号成分３３０ｌを符号化する。
【０１７７】
一方、上記帯域分割フィルタ３３１ａ，３３１ｂにて分割されたＬ，Ｒチャネルの高域信号３３０ｃ，３３０ｅは、重み付け決定回路３３１ｍにも送られる。この重み付け決定回路３３１ｍでは、後述するような方法によりＬチャネルとＲチャネルに対する重み付け係数（重み付けパラメータ）３３０ｓを決定する。
【０１７８】
符号列生成回路３３１ｌでは、上記各信号成分符号化回路３３１ｉ，３３１ｊ，３３１ｋからの符号３３０ｐ，３３０ｑ，３３０ｒと、上記重み付け決定回路３３１ｍからの重み付け係数３３０ｓとを用いて、符号列３３０ｔを生成して出力する。
【０１７９】
なおここで、（Ｌ＋Ｒ）チャネルの信号と（Ｌ−Ｒ）チャネルの信号の符号化方法は異なるものとしても良い。例えば、（Ｌ＋Ｒ）チャネルの符号化方法として、固定長符号を使用し、符号化及び復号化が少ない処理量で行なえる方法をとるようにしたり、また、（Ｌ−Ｒ）チャネルの符号化方法として、可変長符号を使用し、符号化及び復号化の処理量は多くなるが符号化効率の良い方法をとるようにすることにより、例えばモノラル再生でも良い場合には簡単なハードウェア構成にて再生することができ、なお且つステレオ再生もできる、効率の良い符号列を構成することが可能となる。この符号化効率の良い符号化方法としては、可変長符号ばかりでなく、例えば、信号エネルギが集中するトーン成分を分離して符号化する方法を採用しても良い。また、（Ｌ＋Ｒ）チャネルと（Ｌ−Ｒ）チャネルでは変換ブロック長の異なるスペクトル変換を使用するようにしても良い。
【０１８０】
図３３には図３２の重み付け決定回路３３１ｍが上記重み付け係数３３０ｓ（図３３では重み付けパラメータＲ１として示す）を決定する方法の処理例を示す。
【０１８１】
この図３３において、先ず、ステップＳ３０１では、それぞれ前記Ｌチャネルの高域信号３３０ｃのエネルギＥｈ１を求め、ステップＳ３０２では、前記Ｒチャネルの高域信号３３０ｅのエネルギＥｈ２を求める。
【０１８２】
次にステップＳ３０３において、上記Ｌチャネル高域信号のエネルギＥｈ１とＲチャネルの高域信号のエネルギＥｈ２の和Ｓｈを求め、ステップＳ３０４において、上記エネルギＥｈ１又はエネルギＥｈ２を上記和Ｓｈで割ったものの平方根をＲ１とする。このＲ１の値が、上記重み付けパラメータとして上記符号列生成回路３３１ｌに送られ、符号列の一部として符号化される。
【０１８３】
図３４には、図３２の符号列生成回路３３１ｌが生成する符号列の例を示す。
【０１８４】
この図３４において、当該符号列は、同期信号と低域の符号化ユニット数及び上記重み付けパラメータＲ１とからなるヘッダ、第１チャネル（Ｌ＋Ｒチャネル）の低域側の符号化データ（量子化精度情報、正規化係数情報及びスペクトル係数データ）、第２チャネル（Ｌ−Ｒチャネル）の低域側の符号化データ（量子化精度情報、正規化係数情報及びスペクトル係数データ）、（Ｌ＋Ｒ）チャネルの高域側の符号化データ（量子化精度情報、正規化係数情報及びスペクトル係数データ）からなる。
【０１８５】
図３５には、図３２の符号化装置によって生成された符号列を復号化する復号化装置の構成例を示す。
【０１８６】
この図３５において、前記図３４の符号列の符号化データ３４０ａは、符号列分離回路３４１ａにて、高域側の（Ｌ＋Ｒ）チャネルと低域側の（Ｌ＋Ｒ）チャネル及び同じく低域側の（Ｌ−Ｒ）チャネルの各符号化データに分離される。高域側の（Ｌ＋Ｒ）チャネルの符号化データ３４０ｂは信号成分復号化回路３４１ｂにて復号化され、低域側の（Ｌ＋Ｒ）チャネルの符号化データ３４０ｃは信号成分復号化回路３４１ｃにて復号化され、低域側の（Ｌ−Ｒ）チャネルの符号化データ３４０ｄは信号成分復号化回路３４１ｄにてそれぞれ復号化される。
【０１８７】
これら各信号成分復号化回路３４１ｂ，３４１ｃ，３４１ｄにてそれぞれ復号化された高域側の（Ｌ＋Ｒ）チャネル，低域側の（Ｌ＋Ｒ）チャネル，低域側の（Ｌ−Ｒ）チャネルの各信号成分３４０ｅ，３４０ｆ，３４０ｇは、それぞれ対応する逆スペクトル変換回路３４１ｅ，３４１ｆ，３４１ｇに送られ、それぞれ逆スペクトル変換される。
【０１８８】
上記逆スペクトル変換回路３４１ｆからの（Ｌ＋Ｒ）チャネルの低域信号３４０ｉと、上記逆スペクトル変換回路３４１ｇからの（Ｌ−Ｒ）チャネルの低域信号３４０ｊは、チャネル変換回路３４１ｉに送られ、ここでＬチャネルの低域信号３４０ｍとＲチャネルの低域信号３４０ｎに変換される。これらＬチャネルの低域信号３４０ｍとＲチャネルの低域信号３４０ｎは、それぞれ対応する帯域合成フィルタ３４１ｌと３４１ｍに送られる。
【０１８９】
一方、逆スペクトル変換回路３４１ｅからの（Ｌ＋Ｒ）チャネルの高域信号３４０ｈは、重み付け回路３４１ｊ及び重み付け回路３４１ｋに送られる。
【０１９０】
ここで、上記重み付け回路３４１ｊには、上記符号列分離回路３４１ａにて上記符号列から分離された重み付け係数３４０ｋ（前記重み付けパラメータＲ１）が供給されており、また、上記重み付け回路３４１ｋには、上記重み付け係数３４０ｋ（重み付けパラメータＲ１）から上記重み係数算出回路３４１ｈが算出した重み付け係数３４０ｌ（重み付けパラメータＲ２）が供給されている。上記重み付け係数３４０ｋ（重み付けパラメータＲ１）と重み付け係数３４０ｌ（重み付けパラメータＲ２）の関係は、前記図３１の重み付けパラメータｒ１、ｒ２と同様の関係にあり、高域側のＬチャネルとＲチャネルにそれぞれ対する重み付け係数（重み付けパラメータ）である。すなわち、当該図３５の復号化装置でも、上記Ｌチャネル、Ｒチャネルにそれぞれ対応する上記重み付け係数（重み付けパラメータＲ１，Ｒ２）に比例するように、それぞれの信号のサンプル値を補正するような重み付けがなされる。
【０１９１】
上記（Ｌ＋Ｒ）チャネルの高域信号３４０ｈに対し、上記重み付け回路３４１ｊにて重み付けがなされた（Ｌ＋Ｒ）チャネルの高域信号３４０ｏは、上記チャネル変換回路３４１ｉからのＬチャネルの低域信号３４０ｍが供給されている上記帯域合成回路３４１ｌに送られ、一方、上記重み付け回路３４１ｋにて重み付けがなされた（Ｌ＋Ｒ）チャネルの高域信号３４０ｐは、上記チャネル変換回路３４１ｉからのＲチャネルの低域信号３４０ｎが供給されている上記帯域合成回路３４１ｍに送られる。
【０１９２】
上記帯域合成フィルタ３４１ｌでは、上記Ｌチャネルに対する重み付けがなされた（Ｌ＋Ｒ）チャネルの高域信号３４０ｏと、上記Ｌチャネルの低域信号３４０ｍとをフィルタ合成することによって低域と高域を合成し、当該合成により得られた全帯域のＬチャネルの時系列信号３４０ｑを出力する。一方、上記帯域合成フィルタ３４１ｍでは、上記Ｒチャネルに対する重み付けがなされた（Ｌ＋Ｒ）チャネルの高域信号３４０ｐと、上記Ｒチャネルの低域信号３４０ｎとをフィルタ合成することによって低域と高域を合成し、当該合成により得られた全帯域のＲチャネルの時系列信号３４０ｒを出力する。
【０１９３】
図３６には、上記図３５の重み係数算出回路３４１ｈにて、上記重み付け係数３４０ｌ（重み付けパラメータＲ２）を算出する際の処理例を示す。
【０１９４】
この図３６において、ステップＳ４０１では、上記重み付け係数３４０ｋ（重み付けパラメータＲ１）を用い、１からＲ１の２乗した値を引き算し、その値の平方根をＲ２とする。このＲ２の値が、上記重み付け係数３４０ｐとして上記帯域合成フィルタ３４１ｍに送られる。
【０１９５】
上記図３２及び図３５を用いて説明した方法例では、上述のようにして得られた重み付けパラメータＲ１，Ｒ２を使用することにより、わずかの符号ビットの追加で、高域側の信号配分を高域側のエネルギ割合そのもので決定することができるため、オリジナルの音響信号により忠実なステレオ感を再現することが可能となる。ここで注目すべきことは、この方法をとる場合にも符号化装置の順スペクトル変換回路、復号化装置の逆スペクトル変換回路は、それぞれ高域側に関して、Ｌ，Ｒチャネルを共通にできることで、前述の方法に比較して演算処理量およびバッファメモリ量を節約することができる。
【０１９６】
以上、簡単のため、帯域を高域と低域の二つに分割する分割フィルタを使用した場合を例にとって説明を行なったが、本発明の方法は、もちろん、帯域分割フィルタによる帯域分割数がもっと多い場合にも有効である。
【０１９７】
図３７及び図３８には、それぞれ帯域分割フィルタによる帯域分割数が４個の場合に本発明の方法を適用した符号化装置（図３７）及び復号化装置（図３８）の構成例を示している。なお、前記図８を用いて説明を行なったように、正規化処理を施す符号化ユニットは帯域分割フィルタによる分割帯域幅とは無関係にとられるが、前述した符号化ユニット毎にＬ，Ｒ両チャネルのレベルを変化させる方法と異なり、この図３７、図３８に示したような場合にも、本発明の方法では、高域側の順スペクトル変換、逆スペクトル変換を二つのチャネルで共通なものとして処理することができ、演算処理量およびバッファメモリ量を節約することができる。
【０１９８】
図３７に示す符号化装置において、Ｌチャネルの信号３５０ａは帯域分割フィルタ３５１ａに、Ｒチャネルの信号３５０ｂは帯域分割フィルタ３５１ｂに入力される。上記帯域分割フィルタ３５１ａは、上記Ｌチャネルの信号３５０ａを４個の帯域の信号３５０ｃ1、３５０ｃ2、３５０ｃ3、３５０ｄに分割する。また、上記帯域分割フィルタ３５１ｂは、上記Ｒチャネルの信号３５０ｂを同じく４個の帯域の信号３５０ｅ1、３５０ｅ2、３５０ｅ3、３５０ｆに分割する。
【０１９９】
上記帯域分割フィルタ３５１ａにて分割されたＬチャネルの最低域信号３５０ｄと上記帯域分割フィルタ３５１ｂにて分割されたＲチャネルの最低域信号３５０ｆは共にチャネル変換回路３５１ｃに送られる。
【０２００】
当該チャネル変換回路３５１ｃは、上記Ｌチャネル最低域信号３５０ｄとＲチャネル最低域信号３５０ｆとを、（Ｌ＋Ｒ）チャネル最低域信号３５０ｈと（Ｌ−Ｒ）チャネル最低域信号３５０ｉに変換する。
【０２０１】
上記（Ｌ＋Ｒ）チャネル最低域信号３５０ｈは順スペクトル変換回路３５１ｄに、上記（Ｌ−Ｒ）チャネル最低域信号３５０ｉは順スペクトル変換回路３５１ｅに送られる。これら順スペクトル変換回路３５１ｄ，３５１ｅからの信号成分３５０ｊ、３５０ｋはそれぞれ対応する信号成分符号化回路３５１ｋ、３５１ｌに送られる。
【０２０２】
一方、上記帯域分割フィルタ３５１ａ，３５１ｂにて分割されたＬ，Ｒチャネルのそれぞれ残り３個の高域側信号３５０ｃ1、３５０ｃ2、３５０ｃ3及び３５０ｅ1、３５０ｅ2、３５０ｅ3は、それぞれの分割帯域に対応して設けられたチャネル合成回路３５１ｆ1、３５１ｆ2、３５１ｆ3に送られる。チャネル合成回路３５１ｆ1では、Ｌ，Ｒチャネルのそれぞれ最高域側信号３５０ｃ1と３５０ｅ1を合成して（Ｌ＋Ｒ）チャネル最高域信号３５０ｇ1を生成し、チャネル合成回路３５１ｆ2では、Ｌ，Ｒチャネルのそれぞれ２番目の高域側信号３５０ｃ2と３５０ｅ2を合成して（Ｌ＋Ｒ）チャネルの２番目の高域信号３５０ｇ2を生成し、チャネル合成回路３５１ｆ3では、Ｌ，Ｒチャネルのそれぞれ３番目の高域側信号３５０ｃ3と３５０ｅ3を合成して（Ｌ＋Ｒ）チャネルの３番目の高域信号３５０ｇ3を生成する。
【０２０３】
これらチャネル合成回路３５１ｆ1、３５１ｆ2、３５１ｆ3  からの各高域信号３５０ｇ1、３５０ｇ2、３５０ｇ3は、それぞれ対応して設けられた順スペクトル変換回路３５１ｇ1、３５１ｇ2、３５１ｇ3に送られ、それぞれ順スペクトル変換される。これら上記順スペクトル変換回路３５１ｇ1、３５１ｇ2、３５１ｇ3にてそれぞれ順スペクトル変換された各信号成分３５０ｍ1、３５０ｍ2、３５０ｍ3は信号成分符号化回路３５１ｊに送られる。
【０２０４】
また、上記各順スペクトル変換回路３５１ｄ，３５１ｅ，３５１ｇ1，３５１ｇ2，３５１ｇ3からの各信号成分３５０ｊ，３５０ｋ，３５０ｍ1，３５０ｍ2，３５０ｍｇ3は、制御回路３５１ｉにも送られる。当該制御回路３５１ｉでは、上記各順スペクトル変換回路３５１ｄ，３５１ｅ，３５１ｇ1，３５１ｇ2，３５１ｇ3からの各信号成分３５０ｊ，３５０ｋ，３５０ｍ1，３５０ｍ2，３５０ｍｇ3に基づいて、上記（Ｌ＋Ｒ）チャネルの各高域側の信号成分３５０ｍ1，３５０ｍ2，３５０ｍｇ3に対する符号化割り当てビット数３５０ｎと、上記（Ｌ＋Ｒ）チャネル最低域信号成分３５０ｊに対する符号化割り当てビット数３５０ｏと、上記（Ｌ−Ｒ）チャネル最低域信号成分３５０ｋに対する符号化割り当てビット数３５０ｐとを決定する。
【０２０５】
したがって、上記各信号成分符号化回路３５１ｊ，３５１ｋ，３５１ｌでは、上記制御回路３５１ｉにてそれぞれ決定された割り当てビット数３５０ｎ，３５０ｏ，３５０ｐに基づいて、それぞれ対応する上記（Ｌ＋Ｒ）チャネルの各高域側の信号成分３５０ｍ1，３５０ｍ2，３５０ｍｇ3と上記（Ｌ＋Ｒ）チャネル最低域信号成分３５０ｊ及び上記（Ｌ−Ｒ）チャネル最低域信号成分３５０ｋを符号化する。
【０２０６】
一方、上記帯域分割フィルタ３５１ａ，３５１ｂにてそれぞれ４分割されたＬ，Ｒチャネルの高域側のそれぞれ３帯域の信号３５０ｃ1、３５０ｃ2、３５０ｃ3及び３５０ｅ1、３５０ｅ2、３５０ｅ3は、重み付け決定回路３５１ｈにも送られる。この重み付け決定回路３５１ｈでは、前述同様な方法により各帯域のＬチャネルとＲチャネルに対する重み付け係数（重み付けパラメータ）３５０ｌを決定する。
【０２０７】
符号列生成回路３５１ｌでは、上記各信号成分符号化回路３５１ｊ，３５１ｋ，３５１ｌからの符号３５０ｑ，３５０ｒ，３５０ｓと、上記重み付け決定回路３５１ｈからの重み付け係数３５０ｌとを用いて、符号列３５０ｔを生成して出力する。
【０２０８】
次に図３８に示す復号化装置において、前記図３７の符号化装置にて生成された符号列の符号化データ３６０ａは、符号列分離回路３６１ａにて、上記高域側のそれぞれ３つの帯域の（Ｌ＋Ｒ）チャネルと最低域側の（Ｌ＋Ｒ）チャネル及び同じく最低域側の（Ｌ−Ｒ）チャネルの各符号化データとに分離される。高域側の３帯域の（Ｌ＋Ｒ）チャネルの符号化データ３６０ｈ1、３６０ｈ2、３６０ｈ3は、それぞれ対応して設けられた信号成分復号化回路３６１ｇ1、３６１ｇ2、３６１ｇ3にてそれぞれ復号化され、また、上記最低域側の（Ｌ＋Ｒ）チャネルの符号化データ３６０ｂは信号成分復号化回路３６１ｂにて復号化され、同じく最低域側の（Ｌ−Ｒ）チャネルの符号化データ３６０ｃは信号成分復号化回路３６１ｃにてそれぞれ復号化される。
【０２０９】
これら各信号成分復号化回路３６１ｇ1、３６１ｇ2、３６１ｇ3、３６１ｂ、３６１ｃにて、それぞれ復号化された高域側の３帯域の（Ｌ＋Ｒ）チャネル、最低域側の（Ｌ＋Ｒ）チャネル、最低域側の（Ｌ−Ｒ）チャネルの各信号成分３６０ｉ1，３６０ｉ2，３６０ｉ3，３６０ｄ，３６０ｅは、それぞれ対応する逆スペクトル変換回路３６１ｈ1，３６１ｈ2，３６１ｈ3，３６１ｄ，３６１ｅに送られ、それぞれ逆スペクトル変換される。
【０２１０】
上記逆スペクトル変換回路３６１ｄからの（Ｌ＋Ｒ）チャネル最低域信号３６０ｆと、上記逆スペクトル変換回路３６１ｅからの（Ｌ−Ｒ）チャネル最低域信号３６０ｇは、チャネル変換回路３６１ｆに送られ、ここでＬチャネルの最低域信号３６０ｍとＲチャネルの最低域信号３６０ｎに変換される。これらＬチャネルの最低域信号３６０ｍとＲチャネルの最低域信号３６０ｎは、それぞれ対応する帯域合成フィルタ３６１ｌと３６１ｍに送られる。
【０２１１】
一方、各逆スペクトル変換回路３６１ｈ1，３６１ｈ2，３６１ｈ3からの（Ｌ＋Ｒ）チャネルの高域側の３つの信号３６０ｊ1，３６０ｊ2，３６０ｊ3は、それぞれ対応して設けられた重み付け回路３６１ｊ1、３６１ｊ2、３６１ｊ3及び３６１ｋ1、３６１ｋ2、３６１ｋ3に送られる。
【０２１２】
ここで、上記各重み付け回路３６１ｊ1、３６１ｊ2、３６１ｊ3には、上記符号列分離回路３６１ａにて上記符号列から分離された重み付け係数３６０ｋが供給されている。また、上記各重み付け回路３６１ｋ1、３６１ｋ2、３６１ｋ3には、上記重み付け係数３６０ｋから重み係数算出回路３６１ｉが算出した重み付け係数３６０ｌがそれぞれ供給されている。上記重み付け係数３６０ｋと重み付け係数３６０ｌの関係は、前記図３５の重み付け係数３４０ｋ、３４０ｌと同様の関係にある。
【０２１３】
上記（Ｌ＋Ｒ）チャネルの高域側の３帯域の信号３６０ｊ1，３６０ｊ2，３６０ｊ3に対し、それぞれ対応する重み付け回路３６１ｊ1、３６１ｊ2、３６１ｊ3にて各々重み付けがなされた（Ｌ＋Ｒ）チャネルの高域側の３帯域の信号３６０ｏ1，３６０ｏ2，３６０ｏ3は、上記チャネル変換回路３６１ｆからのＬチャネルの最低域信号３６０ｍが供給されている上記帯域合成回路３６１ｌに送られ、一方、上記重み付け回路３６１ｋ1、３６１ｋ2、３６１ｋ3にてそれぞれ重み付けがなされた（Ｌ＋Ｒ）チャネルの高域側の３帯域の信号３６０ｐ1、３６０ｐ2、３６０ｐ3は、上記チャネル変換回路３６１ｆからのＲチャネルの最低域信号３６０ｎが供給されている上記帯域合成回路３６１ｍに送られる。
【０２１４】
上記帯域合成フィルタ３６１ｌでは、上記Ｌチャネルに対する重み付けがなされた（Ｌ＋Ｒ）チャネルの高域側の３帯域の信号３６０ｏ1，３６０ｏ2，３６０ｏ3と、上記Ｌチャネルの最低域信号３６０ｍとをフィルタ合成することによって低域と高域を合成し、当該合成により得られた全帯域のＬチャネルの時系列信号３６０ｑを出力する。一方、上記帯域合成フィルタ３６１ｍでは、上記Ｒチャネルに対する重み付けがなされた（Ｌ＋Ｒ）チャネルの高域側の３帯域の信号３６０ｐ1、３６０ｐ2、３６０ｐ3と、上記Ｒチャネルの低域信号３６０ｎとをフィルタ合成することによって低域と高域を合成し、当該合成により得られた全帯域のＲチャネルの時系列信号３６０ｒを出力する。
【０２１５】
上述の各実施の形態の例では、Ｌ，Ｒの２チャネルの信号を用いた説明を行なったが、本発明の方法は例えば、３チャネル以上の音響信号に対して適用することも可能である。また、上述の実施の形態の符号化装置にて生成された符号列（符号化されたビットストリーム）は、光ディスクや磁気ディスク、磁気テープ、半導体メモリ等の記録媒体に記録したり、光ファイバ等の伝送線や電波或いは赤外線等を用いて伝送することができる。
【０２１６】
なお以上、スペクトル変換を利用した場合について説明を行なったが、本発明の方法は、例えば帯域分割フィルタのみを使用した場合にも適用可能である。
【０２１７】
【発明の効果】
以上の説明からも明らかなように、本発明の符号化方法及び装置によれば、複数のチャネルの音響信号を分割した低域側では各チャネルの信号又は後の復号時に復元可能な信号を圧縮符号化し、一方、高域側では同一の高域側信号を生成してそれらの少なくとも正規化係数情報を圧縮符号化することにより、符号化情報量を低減すると共に、より少ない演算処理量及びより少ないバッファメモリ量で符号化が可能になる。
【０２１８】
また、本発明の復号化方法及び装置によれば、本発明の符号化方法及び装置により符号化された低域符号及び高域符号を伸長復号化し、さらに低域側及び高域側の各チャネルの信号を復元して複数のチャネルの音響信号を合成することにより、より少ない演算処理量及びより少ないバッファメモリ量で復号化の処理が可能になる。
【０２１９】
さらに本発明の記録媒体によれば、本発明の符号化方法及び装置により生成された符号列を記録してなることにより、少ない記録容量を使用して高品質の音響信号を蓄積可能である。
【０２２０】
このように、本発明によれば、例えばステレオ効果等、マルチチャネルの効果を十分に保ったまま、より少ないビット数で音響信号を符号化することが可能である。また、その符号化及び復号化のために必要な演算処理量、バッファメモリ量を少なくすることが可能である。
【図面の簡単な説明】
【図１】本発明に係わる圧縮データの記録再生装置の一実施の形態としての記録再生装置の構成例を示すブロック回路図である。
【図２】本発明に関わる符号化回路の具体的構成例を示すブロック回路図である。
【図３】本発明に関わる信号成分符号化回路の具体的構成例を示すブロック回路図である。
【図４】本発明に関わる変換回路の具体的構成例を示すブロック回路図である。
【図５】本発明に関わる復号化回路の具体的構成例を示すブロック回路図である。
【図６】本発明に関わる逆変換回路の具体的構成例を示すブロック回路図である。
【図７】本発明に関わる信号成分復号化回路の具体的構成例を示すブロック回路図である。
【図８】基本的な符号化方法を説明するための図である。
【図９】基本的な符号化方法にて符号化したフレームの符号列の構成を説明するための図である。
【図１０】フレーム毎にＬ，Ｒチャネルを配置する例を示す図である。
【図１１】（Ｌ＋Ｒ）／２のチャネルをフレームに配置する例を示す図である。
【図１２】信号成分をトーン成分とノイズ成分に分けて符号化する符号化方法を説明するための図である。
【図１３】信号成分をトーン成分とノイズ成分に分けて符号化する符号化方法で符号化した符号列の構成を説明するための図である。
【図１４】信号成分をトーン成分とノイズ成分に分けて符号化する信号成分符号化回路の具体的構成例を示すブロック回路図である。
【図１５】信号成分をトーン成分とノイズ成分に分けて符号化された信号を復号する信号成分復号化回路の具体的構成例を示すブロック回路図である。
【図１６】（Ｌ＋Ｒ）／２と（Ｌ−Ｒ）／２チャネルの信号を符号化する符号化回路の概略構成を示すブロック回路図である。
【図１７】（Ｌ＋Ｒ）／２と（Ｌ−Ｒ）／２チャネルの信号を符号化した符号列を復号化する復号化回路の概略構成を示すブロック回路図である。
【図１８】低域側ではＬ，Ｒチャネルを、高域側では（Ｌ＋Ｒ）／２チャネルの信号を符号化する符号化回路の概略構成を示すブロック回路図である。
【図１９】図１８の符号化回路のＡ型信号成分符号化回路の具体的構成を示すブロック回路図である。
【図２０】図１８の符号化回路のＢ型信号成分符号化回路の具体的構成を示すブロック回路図である。
【図２１】低域側ではＬ，Ｒチャネルを、高域側では（Ｌ＋Ｒ）／２チャネルの信号を符号化した場合の符号列の構成を説明するための図である。
【図２２】低域側ではＬ，Ｒチャネルを、高域側では（Ｌ＋Ｒ）／２チャネルの信号を符号化した符号列を復号化する復号化回路の概略構成を示すブロック回路図である。
【図２３】低域側ではＬ，Ｒチャネルを、高域側ではＬ，Ｒチャネルの共通信号を符号化する本発明実施の形態の符号化回路の概略構成を示すブロック回路図である。
【図２４】図２３の符号化回路の信号成分符号化回路の具体的構成を示すブロック回路図である。
【図２５】図２３の符号化回路の制御回路の処理例を示すフローチャートである。
【図２６】低域側ではＬ，Ｒチャネルを、高域側ではＬ，Ｒチャネルの共通信号を符号化した場合の符号列の構成を説明するための図である。
【図２７】低域側ではＬ，Ｒチャネルを、高域側ではＬ，Ｒチャネルの共通信号を符号化した符号列を復号化する復号化回路の概略構成を示すブロック回路図である。
【図２８】低域側ではＬ，Ｒチャネルを、高域側ではＬ，Ｒチャネルの共通信号を符号化する本発明の他の実施の形態の符号化回路の概略構成を示すブロック回路図である。
【図２９】低域側ではＬ，Ｒチャネルを、高域側ではＬ，Ｒチャネルの共通信号を符号化した符号列を復号化する本発明の他の実施の形態の復号化回路の概略構成を示すブロック回路図である。
【図３０】高域側のＬ，Ｒチャネルの信号レベルが異なるように符号化した符号列を復号化する本発明の他の実施の形態の復号化回路の概略構成を示すブロック回路図である。
【図３１】図３０の復号化回路の重み付け決定回路が重み付けパラメータを決定する方法の処理の流れを示すフローチャートである。
【図３２】低域側では（Ｌ＋Ｒ）／２と（Ｌ−Ｒ）／２チャネルの信号を符号化し、高域側ではＬ，Ｒチャネルの共通信号と重み付けパラメータを符号化する本発明実施の形態の符号化回路の概略構成を示すブロック回路図である。
【図３３】図３２の符号化回路の重み付け決定回路が重み付けパラメータを決定する方法の処理の流れを示すフローチャートである。
【図３４】低域側では（Ｌ＋Ｒ）／２と（Ｌ−Ｒ）／２チャネルの信号を符号化し、高域側ではＬ，Ｒチャネルの共通信号と重み付けパラメータを符号化した場合の符号列の構成を説明するための図である。
【図３５】低域側では（Ｌ＋Ｒ）／２と（Ｌ−Ｒ）／２チャネルの信号を符号化し、高域側ではＬ，Ｒチャネルの共通信号と重み付けパラメータを符号化した符号列を復号化する復号化回路の概略構成を示すブロック回路図である。
【図３６】図３５の復号回路回路の重み係数算出回路の処理の流れを示すフローチャートである。
【図３７】帯域分割数が４つの場合の本発明実施の形態の符号化回路の概略構成を示すブロック回路図である。
【図３８】帯域分割数が４つの場合の本発明実施の形態の復号化回路の概略構成を示すブロック回路図である。
【符号の説明】
１  光磁気ディスク、６３  ＡＴＣエンコーダ、６５  エンコーダ、７１  デコーダ、７３  ＡＴＣデコーダ、８０  ＲＯＭ、  １１１ａ  変換回路、  １１１ｂ  信号成分符号化回路、  １１１ｃ  符号列生成回路、  １１４ａ  符号列分解回路、  １１４ｂ  信号成分復号化回路、  １１４ｃ  逆変換回路、
２６１ａ，２６１ｂ  変換回路、  ２６１ｃ  制御回路、  ２６１ｅ  チャネル合成回路、  ２６１ｆ  帯域分離回路、  ２６１ｇ，２６１ｈ  低域信号分離回路、  ２６１ｉ，２６１ｊ，２６１ｋ  信号成分符号化回路、  ２６１ｌ  符号列生成回路、
２８１ａ  符号列分離回路、  ２８１ｂ，２８１ｃ，２８１ｄ  信号成分復号回路回路、  ２８１ｅ，２８１ｆ  信号成分合成回路、  ２８１ｈ，２８１ｉ  逆変換回路
【図１】
0004010048.tif 000002
【図２】
0004010048.tif 000003
【図３】
0004010048.tif 000004
【図４】
0004010048.tif 000005
【図５】
0004010048.tif 000006
【図６】
0004010048.tif 000007
【図７】
0004010048.tif 000008
【図８】
0004010048.tif 000009
【図９】
0004010048.tif 000010
【図１０】
0004010048.tif 000011
【図１１】
0004010048.tif 000012
【図１２】
0004010048.tif 000013
【図１３】
0004010048.tif 000014
【図１４】
0004010048.tif 000015
【図１５】
0004010048.tif 000016
【図１６】
0004010048.tif 000017
【図１７】
0004010048.tif 000018
【図１８】
0004010048.tif 000019
【図１９】
0004010048.tif 000020
【図２０】
0004010048.tif 000021
【図２１】
0004010048.tif 000022
【図２２】
0004010048.tif 000023
【図２３】
0004010048.tif 000024
【図２４】
0004010048.tif 000025
【図２５】
0004010048.tif 000026
【図２６】
0004010048.tif 000027
【図２７】
0004010048.tif 000028
【図２８】
0004010048.tif 000029
【図２９】
0004010048.tif 000030
【図３０】
0004010048.tif 000031
【図３１】
0004010048.tif 000032
【図３２】
0004010048.tif 000033
【図３３】
0004010048.tif 000034
【図３４】
0004010048.tif 000035
【図３５】
0004010048.tif 000036
【図３６】
0004010048.tif 000037
【図３７】
0004010048.tif 000038
【図３８】
0004010048.tif 000039